(57)【特許請求の範囲】
【請求項１】
遊技場に納入される特殊景品であって、各々の特殊景品を識別するための第１景品番号が付与された特殊景品を発行する景品発行装置と、該景品発行装置から発行され遊技場に納入された特殊景品であって、各々の特殊景品を識別するための第２景品番号がさらに付与された特殊景品を、遊技機による遊技の結果として遊技者に付与された遊技結果価値の範囲内で払出す景品払出装置と、該景品払出装置から払出された特殊景品を受付けて、受付けた特殊景品に応じた金銭を払出す景品買取装置と、前記景品発行装置により発行される特殊景品に対する第１景品番号の発行および前記景品払出装置により払出される特殊景品に対する第２景品番号の発行を行い、発行可能な第１景品番号および第２景品番号を管理するとともに、各第１景品番号および第２景品番号が発行済か未発行かを示す発行状況を管理する管理装置とを備えた景品管理システムであって、
前記景品発行装置は、
発行する特殊景品に付与するための未発行の第１景品番号の送信を前記管理装置に要求する第１景品番号要求手段と、
該第１景品番号要求手段の要求に応じて前記管理装置から送信されてきた第１景品番号を前記発行する特殊景品に付与する第１景品番号付与手段とを含み、
前記景品払出装置は、
前記払出す特殊景品に付与するための未発行の第２景品番号の送信を前記管理装置に要求する第２景品番号要求手段と、
該第２景品番号要求手段の要求に応じて前記管理装置から送信されてきた第２景品番号を前記払出す特殊景品に付与する第２景品番号付与手段とを含み、
前記景品買取装置は、
景品投入口に投入された特殊景品に付与されている第１景品番号および第２景品番号を読取る景品番号読取手段と、
該景品番号読取手段により読取られた前記第１景品番号および前記第２景品番号を含む照合要求を前記管理装置へ送信する照合要求送信手段と、
該照合要求に応じて前記管理装置から金銭の払出しを許可する旨が送信されてきたことを条件として、前記特殊景品に応じた金銭を払出す金銭払出手段とを含み、
前記管理装置は、
前記第１景品番号付与手段により特殊景品に付与される第１景品番号の発行状況を発行済に更新し、前記第２景品番号付与手段により特殊景品に付与される第２景品番号を当該特殊景品に付与されている第１景品番号に対応付けて記憶するとともに、当該第２景品番号の発行状況を発行済に更新し、前記景品買取装置により金銭の払出しがなされた特殊景品に付与されていた第１景品番号および第２景品番号の発行状況を未発行に更新する発行状況更新手段と、
前記照合要求送信手段から送信されてきた照合要求に含まれる第１景品番号が管理対象でありその発行状況が発行済か否か、当該第１景品番号に対応付けて第２景品番号が記憶されておりその発行状況が発行済か否か、および前記照合要求に含まれる第１景品番号および第２景品番号が対応付けて記憶されている第１景品番号および第２景品番号と一致するか否かを照合する景品番号照合手段と、
該景品番号照合手段により前記第１景品番号が管理対象でありその発行状況が発行済であり、当該第１景品番号に対応付けて第２景品番号が記憶されておりその発行状況が発行済であり、かつ前記照合要求に含まれる第１景品番号および第２景品番号が対応付けて記憶されている第１景品番号および第２景品番号と一致すると判定されたことを条件として、前記景品買取装置に金銭の払出しを許可する旨を送信する払出許可送信手段とを含み、
前記景品番号照合手段により前記第１景品番号が管理対象でありその発行状況が発行済であるが、当該第１景品番号に対応付けて第２景品番号が記憶されていないかあるいはその発行状況が発行済でないと判定されたことを条件として、前記特殊景品が盗難されたものである旨を報知する報知手段をさらに有することを特徴とする、景品管理システム。
【請求項２】
前記報知手段は、前記景品番号照合手段により前記第１景品番号が管理対象でないかあるいはその発行状況が発行済でないと判定されたことを条件として、前記特殊景品が偽造されたものである旨を報知することを特徴とする、請求項１記載の景品管理システム。
【発明の詳細な説明】
【０００１】
【産業上の利用分野】
本発明は、遊技場において景品交換された後景品買取所で買取られる特殊景品を管理する景品管理システムに関する。
【０００２】
【従来の技術】
従来、遊技場においては、遊技機による遊技の結果として遊技者に払出された景品玉や景品コイン等の遊技結果価値を用いて景品交換し、その交換された特殊景品を遊技者に付与していた。そして遊技者はその与えられた特殊景品をたとえば景品買取所に持参し、その特殊景品を買上げてもらい換金していた。
【０００３】
【発明が解決しようとする課題】
一方、前記特殊景品が換金可能なものであることに鑑み、前記特殊景品の偽物が偽造されて、その偽特殊景品が景品買取所に持込まれて換金されるという不正行為が発生するおそれがあった。
【０００４】
そこで、たとえば、遊技場に納入される特殊景品に対し、当該特殊景品と他の特殊景品とを識別するための景品番号を付して、その景品番号と同じ景品番号を予め登録しておくようにし、遊技場に納入されて景品交換された前記特殊景品が景品買取所に持込まれた場合に、その持込まれた特殊景品に付されている前記景品番号を読取り、その読取った景品番号が前記予め登録されている景品番号と一致するか否かを照合判別するようにし、一致する場合にのみその特殊景品を適正な特殊景品と判断して換金を許すという景品背番号管理システムを導入することが考えられる。この景品背番号管理システムを導入すれば、景品番号が予め登録されている特殊景品以外の特殊景品がその景品買取所に持込まれた場合には、その特殊景品は偽物の特殊景品であると推定し、このような不正特殊景品を買上げることによる不正特殊景品に基づいた換金行為を極力防止することができる。
【０００６】
本発明は、係る実情に鑑み考え出されたものであり、その目的は、景品背番号管理システムを改良することにより、遊技者に正規に払出される前の段階で盗まれた特殊景品が不正に景品買取所で買取られるという不都合を極力防止できる景品管理システムを提供することである。
【０００７】
【課題を解決するための手段】
請求項１に記載の本発明は、遊技場に納入される特殊景品であって、各々の特殊景品を識別するための第１景品番号が付与された特殊景品を発行する景品発行装置と、該景品発行装置から発行され遊技場に納入された特殊景品であって、各々の特殊景品を識別するための第２景品番号がさらに付与された特殊景品を、遊技機による遊技の結果として遊技者に付与された遊技結果価値の範囲内で払出す景品払出装置と、該景品払出装置から払出された特殊景品を受付けて、受付けた特殊景品に応じた金銭を払出す景品買取装置と、前記景品発行装置により発行される特殊景品に対する第１景品番号の発行および前記景品払出装置により払出される特殊景品に対する第２景品番号の発行を行い、発行可能な第１景品番号および第２景品番号を管理するとともに、各第１景品番号および第２景品番号が発行済か未発行かを示す発行状況を管理する管理装置とを備えた景品管理システムであって、
前記景品発行装置は、
発行する特殊景品に付与するための未発行の第１景品番号の送信を前記管理装置に要求する第１景品番号要求手段と、
該第１景品番号要求手段の要求に応じて前記管理装置から送信されてきた第１景品番号を前記発行する特殊景品に付与する第１景品番号付与手段とを含み、
前記景品払出装置は、
前記払出す特殊景品に付与するための未発行の第２景品番号の送信を前記管理装置に要求する第２景品番号要求手段と、
該第２景品番号要求手段の要求に応じて前記管理装置から送信されてきた第２景品番号を前記払出す特殊景品に付与する第２景品番号付与手段とを含み、
前記景品買取装置は、
景品投入口に投入された特殊景品に付与されている第１景品番号および第２景品番号を読取る景品番号読取手段と、
該景品番号読取手段により読取られた前記第１景品番号および前記第２景品番号を含む照合要求を前記管理装置へ送信する照合要求送信手段と、
該照合要求に応じて前記管理装置から金銭の払出しを許可する旨が送信されてきたことを条件として、前記特殊景品に応じた金銭を払出す金銭払出手段とを含み、
前記管理装置は、
前記第１景品番号付与手段により特殊景品に付与される第１景品番号の発行状況を発行済に更新し、前記第２景品番号付与手段により特殊景品に付与される第２景品番号を当該特殊景品に付与されている第１景品番号に対応付けて記憶するとともに、当該第２景品番号の発行状況を発行済に更新し、前記景品買取装置により金銭の払出しがなされた特殊景品に付与されていた第１景品番号および第２景品番号の発行状況を未発行に更新する発行状況更新手段と、
前記照合要求送信手段から送信されてきた照合要求に含まれる第１景品番号が管理対象でありその発行状況が発行済か否か、当該第１景品番号に対応付けて第２景品番号が記憶されておりその発行状況が発行済か否か、および前記照合要求に含まれる第１景品番号および第２景品番号が対応付けて記憶されている第１景品番号および第２景品番号と一致するか否かを照合する景品番号照合手段と、
該景品番号照合手段により前記第１景品番号が管理対象でありその発行状況が発行済であり、当該第１景品番号に対応付けて第２景品番号が記憶されておりその発行状況が発行済であり、かつ前記照合要求に含まれる第１景品番号および第２景品番号が対応付けて記憶されている第１景品番号および第２景品番号と一致すると判定されたことを条件として、前記景品買取装置に金銭の払出しを許可する旨を送信する払出許可送信手段とを含み、
前記景品番号照合手段により前記第１景品番号が管理対象でありその発行状況が発行済であるが、当該第１景品番号に対応付けて第２景品番号が記憶されていないかあるいはその発行状況が発行済でないと判定されたことを条件として、前記特殊景品が盗難されたものである旨を報知する報知手段をさらに有することを特徴とする。
【０００８】
請求項２に記載の本発明は、請求項１に記載の発明の構成に加えて、前記報知手段は、前記景品番号照合手段により前記第１景品番号が管理対象でないかあるいはその発行状況が発行済でないと判定されたことを条件として、前記特殊景品が偽造されたものである旨を報知することを特徴とする。
【００１０】
【作用】
請求項１に記載の本発明によれば、景品発行装置に設けられた第１景品番号要求手段の働きにより、発行する特殊景品に付与するための未発行の第１景品番号の送信が管理装置に要求される。景品発行装置に設けられた第１景品番号付与手段の働きにより、第１景品番号要求手段の要求に応じて前記管理装置から送信されてきた第１景品番号が前記発行する特殊景品に付与される。
景品払出装置に設けられた第２景品番号要求手段の働きにより、前記払出す特殊景品に付与するための未発行の第２景品番号の送信が前記管理装置に要求される。景品払出装置に設けられた第２景品番号付与手段の働きにより、第２景品番号要求手段の要求に応じて前記管理装置から送信されてきた第２景品番号が前記払出す特殊景品に付与される。
景品買取装置に設けられた景品番号読取手段により、景品投入口に投入された特殊景品に付与されている第１景品番号および第２景品番号が読取られる。景品買取装置に設けられた照合要求送信手段の働きにより、景品番号読取手段により読取られた前記第１景品番号および前記第２景品番号を含む照合要求が前記管理装置へ送信される。景品買取装置に設けられた金銭払出手段の働きにより、前記照合要求に応じて前記管理装置から金銭の払出しを許可する旨が送信されてきたことを条件として、前記特殊景品に応じた金銭が払出される。
管理装置に設けられた発行状況更新手段の働きにより、前記第１景品番号付与手段により特殊景品に付与される第１景品番号の発行状況が発行済に更新され、前記第２景品番号付与手段により特殊景品に付与される第２景品番号が当該特殊景品に付与されている第１景品番号に対応付けて記憶されるとともに、当該第２景品番号の発行状況が発行済に更新され、前記景品買取装置により金銭の払出しがなされた特殊景品に付与されていた第１景品番号および第２景品番号の発行状況が未発行に更新される。管理装置に設けられた景品番号照合手段の働きにより、前記照合要求送信手段から送信されてきた照合要求に含まれる第１景品番号が管理対象でありその発行状況が発行済か否か、当該第１景品番号に対応付けて第２景品番号が記憶されておりその発行状況が発行済か否か、および前記照合要求に含まれる第１景品番号および第２景品番号が対応付けて記憶されている第１景品番号および第２景品番号と一致するか否かが照合される。管理装置に設けられた払出許可送信手段の働きにより、景品番号照合手段により前記第１景品番号が管理対象でありその発行状況が発行済であり、当該第１景品番号に対応付けて第２景品番号が記憶されておりその発行状況が発行済であり、かつ前記照合要求に含まれる第１景品番号および第２景品番号が対応付けて記憶されている第１景品番号および第２景品番号と一致すると判定されたことを条件として、前記景品買取装置に金銭の払出しを許可する旨が送信される。管理装置に設けられた報知手段の働きにより、前記景品番号照合手段により前記第１景品番号が管理対象でありその発行状況が発行済であるが、当該第１景品番号に対応付けて第２景品番号が記憶されていないかあるいはその発行状況が発行済でないと判定されたことを条件として、前記特殊景品が盗難されたものである旨が報知される。
【００１１】
請求項２に記載の本発明によれば、請求項１に記載の発明の作用に加えて、前記報知手段の働きにより、前記景品番号照合手段により前記第１景品番号が管理対象でないかあるいはその発行状況が発行済でないと判定されたことを条件として、前記特殊景品が偽造されたものである旨が報知される。
【００１３】
【発明の実施例】
次に、本発明の実施例を図面に基づいて詳細に説明する。
【００１４】
図１は、景品を管理する景品管理システムを示す全体概略ブロック図である。この景品管理システムは、景品としての有価証券を製造する景品製造所の一例の有価証券製造所２０と、その製造された有価証券を発行して遊技場に出荷するための景品発行場の一例の有価証券発行管理センタ１７と、複数の遊技場１Ａ，１Ｂと、それぞれの遊技場において景品交換された有価証券を買取る景品買取所の一例の有価証券買取所８と、前記有価証券を商品に交換可能な商店（加盟店）１３Ａ，１３Ｂとを含んでいる。
【００１５】
有価証券製造所２０は、有価証券を製造して有価証券発行管理センタ１７に納入する。この有価証券は、パチンコ遊技場において景品交換するために特別に製造されたものであり、従来から一般的な既存の有価証券、たとえば、デパート商品券，テレホンカード，図書券，お米券，ビール券，酒券，文具券，ＪＲカード，旅行券等とは異なる。なお、有価証券は、全国共通カードを含む。全国共通カードとは、全国共通カードシステムに加盟している遊技場ならば全国どこでも共通に使用可能な第三者発行型のプリペードカードのことである。
【００１６】
有価証券発行管理センタ１７に納入された有価証券２１Ａは、まだ何ら識別情報等の証券情報用コードが記録されていない状態である。この有価証券２１Ａを有価証券発行装置１８に挿入し、第１コードを書込み、その第１コードが書込まれた有価証券２１Ｂを遊技場へ納入する。第１コード（第１証券情報）は、有価証券２１Ｂの納入先である遊技場を特定するための納入先識別情報，有価証券発行管理センター１７が当該有価証券２１Ｂを発行した発行日を特定するためのセンタ発行日情報，当該有価証券の交換価値である額面情報，有価証券の背番号管理の第１証券ＮＯ．情報を含んでいる。この第１証券ＮＯ．情報は、有価証券発行装置１８が有価証券を発行する際に、第１証券ＮＯ．発行要求信号を集中管理装置１９に出力し、集中管理装置１９では、未使用の第１証券ＮＯを割出し、その割出された第１証券ＮＯ．情報を有価証券発行装置１８に返信し、その返信されてきた第１証券ＮＯ．情報が有価証券２１Ｂに書込まれるのである。
【００１７】
有価証券２１Ｂを入荷した遊技場１Ａ，１Ｂでは、その入荷した有価証券２１Ｂを有価証券払出装置６にストックさせておく。一方、複数の遊技場１Ａ，１Ｂには、それぞれ、カード販売機２とカード処理機３と遊技機の一例のパチンコ遊技機４と玉計数装置５と有価証券払出装置６と遊技場のホストコンピュータであるホール用管理装置７とが設置されている。遊技機の例としては、外に、コイン遊技機やスロットマシン等でもよい。遊技者は、まず代金をカード販売機２に投入し、その投入代金の範囲内の有価価値を特定可能な情報が記録された玉貸カードを購入する。次に遊技者は複数の遊技機の中から遊技を行ないたいパチンコ遊技機４を見つけ出し、そのパチンコ遊技機４に対応するカード処理機３に前記玉貸カードを挿入する。そして挿入された玉貸カードの記録情報により特定される有価価値を使用して遊技媒体の一例の遊技玉が払出され、その払出された遊技玉を遊技領域に打込んでパチンコ遊技機４により遊技を行なう。
【００１８】
そして、パチンコ遊技機４の遊技領域に打込まれた打玉が入賞すれば、景品玉が払出される。遊技者が玉貸カードの返却操作を行なえば、遊技に使用された有価価値が減額された後の新たな有価価値に更新された玉貸カードがカード処理機３から遊技者に払出される。そして、遊技を終了する場合にはパチンコ遊技機４から払出された遊技玉，景品玉からなる遊技結果価値をたとえば玉計数装置５に投入する。すると、その投入された遊技結果価値に相当する玉数データが記録された玉数カードが玉計数装置５から遊技者に払出される。遊技者は、その払出された玉数カードを遊技場のカウンタに持参し、一般景品と交換する。
【００１９】
一方、遊技者が、特殊景品としての有価証券と景品交換したい場合には、前記遊技結果として獲得した遊技玉，景品玉からなる遊技結果価値を有価証券払出装置６に投入する。すると、その投入された遊技結果価値の範囲内で特殊景品としての有価証券が有価証券払出装置６から遊技者に払出される。その払出の際に、払出される有価証券に、第２証券ＮＯ．情報，遊技場発行日情報，発行店識別情報からなる第２証券情報（第２コード）が書込まれる。これらデータの書込に際しては、有価証券払出装置６は、まずホール用管理装置７に対し、払出さんとしている有価証券に記録されている第１コード（第１証券情報）と証券情報照合要求信号とを出力する。それを受けたホール用管理装置７は第１証券ＮＯ．を含む情報を集中管理装置１９に出力する。集中管理装置１９では、有価証券発行装置１８から有価証券２１Ｂを発行する際にその有価証券２１Ｂに書込んだ第１コード（第１証券情報）が登録されており、送信されてきた第１証券ＮＯ．に該当する前記第１コード（第１証券情報）が既に登録されている場合にはその第１証券情報をホール用管理装置７に返信し、その返信データが前記有価証券払出装置６からの送信データであるコード（第１証券情報）と一致するか否か判別し、一致する場合すなわち有価証券発行管理センタ１７から適正に発行された有価証券である場合には、登録中である旨の照合結果信号を有価証券払出装置６に出力する。また、集中管理装置１９からホール用管理装置７に対し、未発行の第２証券ＮＯ．情報が送信され、ホール用管理装置７では、その送信されてきた第２証券ＮＯ．情報と遊技場発行日情報と発行店識別情報とからなる第２証券情報を有価証券払出装置６に返信し、その有価証券払出装置６が、払出さんとしている有価証券にその第２証券情報を第２コードとして書込むのである。
【００２０】
前記有価証券払出装置６から払出された有価証券を遊技者が換金したい場合には、その払出された有価証券を有価証券買取所８に持参し、その有価証券買取所８の係員に手渡す。すると、その係員がその有価証券を有価証券処理装置９に投入する。有価証券処理装置９は、その投入された有価証券に記録されている第１コードを読取り、そのコード上のセキュリティデータに基づいた真偽チェックを行なった後その第１，２コードを買取所用管理装置１１に出力する。買取所用管理装置１１では、その出力されてきた第１コードに含まれている第１証券ＮＯ．情報を集中管理装置１９に送信する。集中管理装置１９では、その送信されてきた第１証券ＮＯ．情報に基づいて登録されている第１コードに含まれている第１証券ＮＯ．を探し出し、送信されてきた第１景品ＮＯ．と一致するＮＯ．が登録されていれば、そのＮＯ．に対応する第１コード（第１証券情報）と第２コード（第２証券情報）を買取所用管理装置１１に返信する。買取所用管理装置１１では、その返信されてきた第１，第２コードと、前記有価証券処理装置９から出力されてきた第１，第２コードとを比較し、両者が一致するか否か判別する。そして一致すれば適正である旨の信号を有価証券処理装置９に出力する。
【００２１】
一方、有価証券処理装置９は、有価証券が投入されてその有価証券に記録されている第１コード，第２コード等のコードデータをチェックし、そのコードデータ上のセキュリティに基づいて適正と判断した場合には、支払準備指令信号を金銭自動払出装置１０に出力する。そして金銭自動払出装置１０では、その信号に基づいて金銭の払出準備を行なう。また、買取所用管理装置１１から投入された有価証券が適正である旨の信号が返信されてくれば、有価証券処理装置９は、払出指令信号を金銭自動払出装置１０に出力する。すると、金銭自動払出装置１０では、実際に投入された有価証券に相当する金銭（現金）を係員に払出し、払出完了用信号を有価証券処理装置９に返信する。そして金銭自動払出装置１０は、その払出した払出金額情報を買取所用管理装置１１に出力するとともに、払出金額情報を払出金額表示装置１２に出力して払出金額の表示を行なう。係員は、金銭自動払出装置１０から払出された金銭を遊技者に手渡す。
【００２２】
前記有価証券払出装置６から払出された有価証券を用いて遊技者が買物をしたい場合には、その払出された有価証券を本システムの加盟店である商店１３Ａ，１３Ｂのいずれかに持参し、その商店１３Ａ，１３Ｂの店員に手渡す。店員は、その手渡された有価証券を有価証券処理装置１４に投入する。有価証券処理装置１４では、投入された有価証券に記録されているコードデータに含まれているセキュリティ情報に基づいてコードデータ上の適否を判断し、適正と判断した場合には商店用管理装置１６に対し投入された有価証券に記録されている第１証券情報と第２証券情報とを商店用管理装置１６に出力する。商店用管理装置１６では、その出力されてきた第１コードに含まれている第１証券ＮＯ．情報を集中管理装置１９に出力する。集中管理装置１９では、予め登録されている第１コードに含まれている第１証券ＮＯ．情報の中に送信されてきた第１証券ＮＯ．情報と一致するものがあるか否か判別し、一致するものがある場合には、その一致する第１証券ＮＯ．に相当する第１コード情報（第１証券情報）と前記一致する第１証券ＮＯ．に対応する第２コード情報（第２証券情報）とを商店用管理装置１６に返信する。商店用管理装置１６では、その返信されてきた第１，２コードのデータと有価証券処理装置１４から出力されてきた第１，２コードのデータとが一致するか否か判別し、ともに一致して適正と判断した場合には、有価証券処理装置１４に適正（登録中）である旨の信号を返信する。
【００２３】
そして適正と判断された有価証券は、その有価証券が有する交換価値すなわち有価証券の額面の範囲内で商品との交換が許される。そして商品と交換した後の釣銭がある場合には、有価証券処理装置１４は、釣銭払出指令信号を釣銭自動支払装置１５に出力する。そして釣銭自動支払装置１５から釣銭が店員に払出され、その払出された釣銭と商品とを店員が遊技者に渡す。また釣銭自動支払装置１５からは、釣銭支払額情報が商店用管理装置１６に出力される。
【００２４】
図２は、有価証券発行管理センタと遊技場と有価証券買取所と商店との間での資金の移動を説明するための説明図である。まず、有価証券製造所２０が有価証券を製造して有価証券発行管理センタ１３に納入すれば、その有価証券製造コスト分の金額の請求書が有価証券製造所２０から有価証券発行管理センタ１７に送られる。それを受けて、有価証券発行管理センタ１７は、有価証券発行管理センタ１７の取引銀行２５から有価証券製造所２０の取引銀行２６に有価証券製造コスト分の金額を振込む。次に有価証券発行管理センタ１７が遊技場１Ａに有価証券を納入すれば、有価証券納入分の請求書が有価証券発行管理センタ１７から遊技場１Ａに送られる。この有価証券納入分の請求書は、納入した有価証券の額面金額の合計（納入額）に対し、手数料３％を上乗せした（納入額×１．０３）の金額を請求している。なお、この手数料３％は無しにしてもよい。また、遊技場１Ａに対し、定期的にこの景品管理システムの使用料の請求書が送られる。遊技場１Ａは、それらの請求書を受けて、遊技場１Ａの取引銀行２２から有価証券発行管理センタ１７の取引銀行２５に対し、（有価証券買入額×１．０３＋システム使用料）に相当する金額を振込む。なお、遊技場１Ｂに対しても、遊技場１Ａと同様の資金の移動がなされるのであり、ここではその説明を省略する。
【００２５】
有価証券買取所８に有価証券が持ち込まれて買取られた場合には、その買取った有価証券の額面の合計金額に対し、手数料１％を上乗せした（買取額×１．０１）の金額を請求する請求書が有価証券買取所８から有価証券発行管理センタ１７に送られる。それを受けた有価証券発行管理センタ１７では、有価証券買取所８の取引銀行２３に対し有価証券発行管理センタ１７の取引銀行２５から、（有価証券買取額×１．０１）の金額を振込む。
【００２６】
有価証券が商店１３Ａに持ち込まれて商品の交換に使用された場合には、その使用された有価証券の額面の合計の金額に対し手数料２％を差し引いた（使用額×０．９８）の金額の請求書が商店１３Ａから有価証券発行管理センタ１７に送られる。なお、この手数料２％は、遊技場において有価証券に景品交換した遊技者が商店１３Ａに集まるという集客効果を考慮して定めたものであるが、この手数料は無しにしてもよい。一方、商店１３Ａが本景品管理システムを使用していることに伴うシステム使用料の請求書が定期的に有価証券発行管理センタ１７から商店１３Ａに送られる。
【００２７】
商店１３Ａは、それを受けて、有価証券発行管理センタ１７の取引銀行２５に対し商店１３Ａの取引銀行２４から、（有価証券使用額×０．９８−システム使用料）の金額を振込む。なお、商店１３Ｂも、商店１３Ａと同様に資金が移動するために、ここではその説明を省略する。
【００２８】
有価証券買取所８と有価証券発行管理センタ１７と有価証券製造所２０とは、本景品管理システムを運営する運営者側の立場にあり、たとえば、公的な第三者機関という同一主体により経営されているために、システム使用料については支払う必要がない。また、遊技場１Ａと商店１３Ａについても、システム使用料の支払いをなくすようにしてもよい。
【００２９】
なお、この図２に示した実施例では、それぞれ複数の取引銀行を利用して、或る取引銀行から他の取引銀行に資金を振込む形のものを説明したが、その代わりに、本景品管理システムの利用に伴って発生する資金移動は、すべて或る特定の１つの銀行で決済するようにしてもよい。その場合には、その１つの銀行内に、有価証券製造所２０の口座Ｇと、有価証券発行管理センタ１７の口座Ｆと、遊技場１Ａの口座Ａと、有価証券買取所８の口座Ｃと、商店１３Ａの口座Ｄとを開設し、それぞれの口座間で資金の移動を行なう。
【００３０】
図３は、有価証券発行管理センタと遊技場と有価証券買取所と商店との間でやり取りされるデータの内容を説明するための説明図である。有価証券発行管理センタ１７では、有価証券発行装置１８から遊技場１Ａ，１Ｂに有価証券を発行する際に、第１証券ＮＯ．発行要求信号，額面別発行枚数情報を集中管理装置１９に出力する。この第１証券ＮＯ．は、有価証券発行装置１８から発行されて有価証券発行管理センタ１７から出荷された有価証券が遊技場１Ａ，１Ｂを介して有価証券買取所８または商店１３Ａ，１３Ｂにまで流通する過程において、その有価証券を背番号管理するための背番号データである。集中管理装置１９は、有価証券発行装置１８から送られてきたそれらのデータに基づいて、まだ未使用の第１証券ＮＯ．を割出してその第１証券ＮＯ．情報を有価証券発行装置１８に返信する。この第１証券ＮＯ．情報は、有価証券発行装置１８から送られてきた額面別発行枚数情報に基づいて、その発行枚数分だけの第１証券ＮＯ．を有価証券発行装置１８に返信する。
【００３１】
有価証券発行装置１８では、その返信されてきたデータを受けて、発行せんとする有価証券に対しそれぞれ第１証券ＮＯ．情報を含む第１コード（第１証券情報）を書込む。また、有価証券発行装置１８は、第１証券情報登録要求信号，第１証券ＮＯ．情報，証券額面情報，センタ発行日情報，納入先識別情報を集中管理装置１９に出力し、集中管理装置１９では、その送信されてきたデータに基づいて、第１証券ＮＯ．情報ごとに分類して証券額面情報，センタ発行日情報，納入先識別情報を登録する。証券額面情報とは、有価証券発行装置１８が発行せんとしている有価証券の交換価値である額面金額を特定する情報である。センタ発行日情報とは、有価証券発行管理センタ１７が有価証券を発行する日付を特定するための情報である。納入先識別情報とは、発行した有価証券を納入する遊技場を特定するための情報である。
【００３２】
集中管理装置１９は、それらの情報を登録した後、登録完了信号を有価証券発行装置１８に返信する。有価証券発行装置１８は、その返信されてきた登録完了信号を受けて、発行せんとする有価証券に対し、第１コード（第１証券情報）を書込み、その後有価証券を発行する。一方、有価証券発行装置１８が有価証券を発行してたとえば遊技場１Ａに納入する際には、図示破線で示すように有価証券発行装置１８または集中管理装置１９から額面別納入枚数情報をその納入先であるホール用管理装置７に送信するようにしてもよい。この額面別納入枚数情報とは、遊技場１Ａに納入される複数の有価証券におけるその有価証券の額面別の枚数に関する情報である。ホール用管理装置７は、この送信されてきた額面別納入枚数情報を予め記憶しておき、有価証券払出装置６が有価証券を払出すごとに、その払出した有価証券の額面とその払出枚数とをホール用管理装置７に入力するようにし、ホール用管理装置７では、予め記憶している額面別納入枚数から出力されてきた証券払出枚数を減算し、有価証券の在庫をリアルタイムで把握できるようにしてもよい。また、この有価証券の在庫データが遊技場毎に集中管理装置１９に出力されるようにしてもよい。
【００３３】
遊技場１Ａ，１Ｂでは、有価証券払出装置６により有価証券を払出す際には、有価証券払出装置６が、ホール用管理装置７に対し、払出さんとする有価証券についての、証券情報照合要求信号，第１証券ＮＯ．情報，証券額面情報，センタ発行日情報，納入先識別情報を送信する。ホール用管理装置７では、それら情報を受けて、有価証券発行管理センタ１７の集中管理装置１９に対し、第２証券ＮＯ．発行要求信号，第１証券ＮＯ．情報を送信する。集中管理装置１９では、それらの情報を受けて、送信されてきた第１証券ＮＯ．が既に登録されている第１証券ＮＯ．の中に該当するものがあるか否か判別する。そして、該当するものがある場合には、その送信されてきた第１証券ＮＯ．情報とそれに該当する証券額面情報，センタ発行日情報，納入先識別情報，第２証券ＮＯ．情報をホール用管理装置７に返信する。この第２証券ＮＯ．情報は、まだ未使用の第２証券ＮＯ．を集中管理装置１９が割出して、その未使用の第２証券ＮＯ．情報をホール用管理装置７に返信するのである。ホール用管理装置７では、その返信されてきた各情報と有価証券払出装置６から既に送信されてきている各情報とが一致するか否か照合判別し、その照合結果信号を有価証券払出装置６に返信する。この照合結果信号は、一致する場合には登録中、一致しない場合には未登録を表わす信号となる。また、登録中の場合には、集中管理装置１９から送信されてきた前記第２証券ＮＯ．情報と遊技場発行日情報と発行店識別情報とを合わせて有価証券払出装置６に送信する。
【００３４】
有価証券払出装置６では、登録中である旨の照合結果信号を受けたことに基づいて、前記第２証券ＮＯ．情報と遊技場発行日情報と発行店識別情報とからなる第２コード（第２証券情報）を有価証券に書込んでその後有価証券を払出す。この第２証券ＮＯ．情報は、有価証券払出装置６から正式に払出された有価証券にはすべてその有価証券に書込まれていることとなり、遊技場１Ａ，１Ｂに納入された後有価証券払出装置６により正式に払出される前の段階で有価証券がたとえば盗難された場合において、その盗難された有価証券すなわち第２証券ＮＯ．情報が書込まれていない有価証券が有価証券買取所８または商店１３Ａ，１３Ｂに持ち込まれて使用されることをチェックするための背番号情報である。遊技場発行日情報とは、有価証券払出装置６が有価証券を払出した日付を特定するための情報である。発行店識別情報とは、有価証券払出装置６により有価証券を払出した遊技場を特定するための情報である。
【００３５】
一方、ホール用管理装置７は、前述した登録中または未登録であるか否かの照合動作をした結果、登録中であり適正な有価証券であると判定した場合には、その適正と判定された有価証券に関する、第２証券情報登録要求信号，第１証券ＮＯ．情報，第２証券ＮＯ．情報，遊技場発行日情報，発行店識別情報を集中管理装置１９に送信する。集中管理装置１９では、それら信号を受けて、前記適正と判定された有価証券の第１証券ＮＯ．に対応づけて、第２証券ＮＯ．情報，遊技場発行日情報，発行店識別情報をそれぞれ登録する。そして、集中管理装置１９は、第２証券ＮＯ．登録完了信号をホール用管理装置７に返信する。
【００３６】
一方、集中管理装置１９は、ホール用管理装置７から送信されてきた前記第２証券ＮＯ．発行要求信号，第１証券ＮＯ．情報に基づいて、予め登録されている第１証券ＮＯ．情報の中に、送信されてきた第１証券ＮＯ．情報が含まれていないと判定した場合には、第１証券ＮＯ．未登録信号をホール用管理装置７に返信する。ホール用管理装置７では、その返信されてきた信号に基づいて、未登録である旨の照合結果信号を有価証券払出装置６に返信する。有価証券払出装置６では、その信号を受けて、払出さんとしていた有価証券の払出を中止する。
【００３７】
ホール用管理装置７は、照合結果信号として未登録である旨の信号を有価証券払出装置６に送信した場合には、その未登録と判別されて不適正と判定された有価証券に関する、発行要求取消信号と第２証券ＮＯ．情報とを集中管理装置１９に送信する。集中管理装置１９では、それら信号を受けて、送信されてきた第２証券ＮＯ．情報の発行を取消し、第２証券ＮＯ．情報や前述した遊技場発行日情報，発行店識別情報の各情報の登録を取消す動作を行なう。そして、発行取消完了信号をホール用管理装置７に返信する。
【００３８】
景品交換された有価証券が有価証券買取所８に持ち込まれて換金される場合に、その有価証券が有価証券処理装置９に投入されれば、その投入された有価証券に記録されているコードデータが読取られ、その読取った有価証券に関する、証券情報照合要求信号，第１証券ＮＯ．情報，証券額面情報，センタ発行日情報，納入先識別情報，第２証券ＮＯ．情報，遊技場発行日情報，発行店識別情報の各情報が買取所用管理装置１１に送信される。買取所用管理装置１１では、それら各情報を受けて、証券情報返信要求信号と第１証券ＮＯ．情報とを集中管理装置１９に送信する。集中管理装置１９では、それらの情報を受けて、予め登録されている第１証券ＮＯ．情報の中に送信されてきた第１証券ＮＯ．情報が含まれているか否か判別し、含まれている場合には、その該当する第１証券ＮＯ．に対応して登録されている証券情報を買取所用管理装置１１に返信する。その証券情報は、第１証券ＮＯ．情報，証券額面情報，センタ発行日情報，納入先識別情報，第２証券ＮＯ．情報，遊技場発行日情報，発行店識別情報を含んでいる。
【００３９】
買取所用管理装置１１では、その返信されてきた各情報と、有価証券処理装置９から既に送信されてきている前記第１証券ＮＯ．情報，証券額面情報，センタ発行日情報，納入先識別情報，第２証券ＮＯ．情報，遊技場発行日情報，発行店識別情報とを照合し、両者の各情報が一致するか否か判別する。そして一致する場合には登録中である旨の照合結果信号を有価証券処理装置９に返信し、一致しない場合には未登録である旨の照合結果信号を有価証券処理装置９に返信する。
【００４０】
一方、有価証券処理装置９では、投入された有価証券に記録されているコードデータを読取った際に、そのコードデータに含まれているセキュリティデータに基づいてコードデータ上の真偽確認を行ない、コードデータ上一応適正であると判定した場合には、払出準備指令信号を金銭自動支払装置１０に送信する。金銭自動支払装置１０では、その信号に基づいて金銭の払出準備を行なう。また、有価証券処理装置９は、買取所用管理装置１１から返信されてきた照合結果信号が、登録中である旨を表わす信号の場合には、その投入された有価証券が適正な有価証券であることになるために、その投入された有価証券に対応する金銭を払出すための払出指令信号を金銭自動支払装置１０に送信する。金銭自動支払装置１０では、その信号を受けて、実際に金銭を払出すとともに、払出した金銭に相当する払出額を特定するための払出額情報を買取所用管理装置１１に送信し、かつ、払出完了信号を有価証券処理装置９に送信する。
【００４１】
有価証券処理装置９では、換金が終了した後の有価証券に後述するようにパンチ孔等をあけて廃棄処分にする。そして、廃棄処分にされた有価証券に関する、証券情報抹消要求信号と第１証券ＮＯ．情報とを買取所用管理装置１１に送信する。買取所用管理装置１１では、それを受けて、証券情報抹消要求信号，第１証券ＮＯ．情報，扱い店識別情報を集中管理装置１９に送信する。この扱い店識別情報とは、当該廃棄処分にされた有価証券を買上げた有価証券買取所８を特定するための情報である。
【００４２】
集中管理装置１９では、それら情報を受けて、送信されてきた第１証券ＮＯ．に該当する各種証券情報を抹消状態にし、抹消完了信号を買取所用管理装置１１に返信する。
【００４３】
一方、買取所用管理装置１１から送信されてきた証券情報返信要求信号，第１証券ＮＯ．情報に基づいて、予め登録されている第１証券ＮＯ．の中に送信されてきた第１証券ＮＯ．が含まれているか否か判別し、該当するものがないと判断した場合には、第１証券ＮＯ．と未登録信号を買取所用管理装置１１に返信する。買取所用管理装置１１では、その信号に基づいて、未登録である旨の照合結果信号を有価証券処理装置９に返信し、有価証券処理装置９では、未登録と判断された不適正な有価証券を排出して金銭自動支払装置１０による金銭の払出を中止させる。また、買取所用管理装置１１から送信されてきた証券情報返信要求信号，第１証券ＮＯ．情報に基づいて、集中管理装置１９が照合した結果、予め登録されている第１証券ＮＯ．情報の中に送信されてきた第１証券ＮＯ．が含まれているが、その第１証券ＮＯ．に対応する第２証券ＮＯ．が登録されていないと判断した場合には、集中管理装置１９は、前記送信されてきた第１証券ＮＯ．情報と第２証券ＮＯ．未登録信号とを買取所用管理装置１１に返信する。これは、遊技場から盗難された有価証券等、有価証券払出装置６から正式には払出されていない有価証券が有価証券買取所８に持ち込まれて換金されんとした場合に生ずる。この場合には、買取所用管理装置１１は、やはり、未登録である旨の照合結果信号を有価証券処理装置９に返信し、金銭自動支払装置１０による金銭の払出を中止させる。
【００４４】
なお、商店１３Ａ，１３Ｂについては、前述した有価証券買取所８に関するデータのやり取りとほぼ同様であるために説明の繰返しを省略する。送受信データの相違点としては、有価証券処理装置１４から釣銭支払準備信号が出力されることなく、有価証券の最終的真偽判別がなされた後支払指令信号のみが釣銭自動支払装置１５に出力される。それに伴なって釣銭の支払額情報が商店用管理装置１６に出力される。また集中管理装置１９に出力される扱店識別情報は、有価証券が商品に交換された商店を特定する情報となる。
【００４５】
図４は、有価証券払出装置６の構成を説明するための構成図である。有価証券払出装置６は、ＣＰＵ，ＲＡＭ，ＲＯＭ等を含む制御部４９が内蔵されており、この制御部４９により以下に述べるような各種機器が制御される。有価証券払出装置６には、玉数計数装置５０が設けられており、玉数計数装置５０に投入された遊技玉，景品玉が計数されてその投入数からなる遊技結果価値情報が制御部４９に入力される。一方、有価証券払出装置６には、メダル計数装置５３が設けられており、このメダル計数装置５３に投入されたメダルが計数されてその計数情報である遊技結果価値情報が制御部４９に入力される。玉数計数装置５０により計数されて制御部４９に入力された玉数は、計数玉数表示器２６により表示される。一方、メダル計数装置５３により計数されて制御部４９に入力されたメダル数は、計数メダル数表示器２７により表示される。有価証券払出装置６には、ＣＲＴあるいは液晶の表示装置等からなるモニタ画面２４が設けられており、この有価証券払出装置６の操作手順やエラーが発生した場合のエラー原因等が表示される。また図中２５は計数中表示器であり、玉計数装置５０あるいはメダル計数装置５３により投入玉あるいは投入メダルが計数されている最中にこの計数中表示器２５が点灯して計数中である旨が表示される。
【００４６】
そして、すべての玉あるいはメダルを遊技者が投入し終わってそれが計数されてその計数値が計数玉数表示器２６あるいは計数メダル数表示器２７により表示されたのを遊技者が確認し、確認ボタン３６を押圧操作すれば、その投入された玉あるいはメダルの合計金額が金額表示器２８により表示されるとともに、半端玉あるいは半端メダルがある場合にはその余り数が余り数表示器２９により表示される。そして、半端玉は半端玉返却装置５１の働きにより返却口５２から遊技者に排出され、半端メダルは半端メダル返却装置５４の働きにより返却口５５から遊技者に排出される。なお、この場合、半端分についてレシート等を発行するようにし、玉やメダルを返却しないようにしてもよい。
【００４７】
一方、有価証券払出装置６から払出される有価証券はその額面が５０００円，３０００円，１０００円の３種類用意されており、金額表示器２８により表示されている金額の範囲内でそれぞれの金額の有価証券が何枚払出されるかが払出枚数表示器３０，３１，３２により表示される。そして、有価証券ストック部３７，３８，３９に、それぞれ５０００円，３０００円，１０００円の額面の有価証券がストックされており、それぞれのストック部３７，３８，３９の下方に設けられている払出装置４３，４４，４５の働きにより、払出枚数表示器３０，３１，３２により表示された枚数分の有価証券が払出口４６，４７，４８から遊技者に払出される。なお、図中４０，４１，４２は、ストック部３７，３８，３９にストックされている有価証券が不足したことを検出する不足検出スイッチであり、この不足検出スイッチ４０〜４２が不足状態を検出すればそれぞれに対応して設けられている不足表示器３３，３４，３５が点灯または点滅表示される。図中２２は作動中表示器であり、有価証券払出装置６が作動中である旨を表示するものであり、２３は中止表示器であり、有価証券払出装置６が作動中止中である旨を表示するものである。
【００４８】
図５は、有価証券処理装置９と金銭自動支払装置１０との構成を示す構成図である。有価証券処理装置９は、換金するために投入された有価証券を計数するためのものであり、以下の種々の機器を制御するための制御部９２が設けられている。この制御部９２は、ＣＰＵ，ＲＡＭ，ＲＯＭ等を含む。有価証券処理装置９には、作動中表示器５６と中止中表示器５７とが設けられており、作動中表示器５６が作動中である旨を表示していることを確認したうえで、投入口６７，６８，６９に有価証券を投入する。この投入口６７，６８，６９は、５０００円，３０００円，１０００円の各有価証券の種類（額面）に応じてそれぞれ５０００円用の投入口６７と３０００円用の投入口６８と１０００円用の投入口６９とが設けられている。そしてそれぞれの投入口６７〜６９から投入された有価証券は、それぞれに設けられた有価証券読取装置７０，７１，７２により第１，第２コードが読取られる。そして有価証券読取装置７０，７１，７２は、その読取ったコードに基づいてそのコード上でのセキュリティチェックを行ない、適正な有価証券であるか否かの判別を行なう。そして、不適正な有価証券であると判別された場合には、その不適正有価証券が経路７６を通って返却口９１に返却される。そして、適正な有価証券と判別されたものが有価証券一時貯留部７３，７４，７５に一時貯留される。投入口６７，６８，６９に投入された有価証券のうちコード上適正であると判別された有価証券の枚数が枚数表示器６１，６２，６３により表示される。次に、コード上適正と判断された有価証券すべての枚数分の払出金額データおよび払出準備信号が金銭自動支払装置１０に送信され、金銭自動支払装置１０では、その支払い金額データに従った額の金銭を払出す動作を開始する。
【００４９】
一方、有価証券処理装置９では、一応適正と判断された有価証券に付されている第１コードに含まれる第１証券ＮＯ．情報等のデータを前述したように、ホール用管理装置７を介して集中管理装置１９に送信し、登録されているか否かの照合を行なってもらう。そしてその照合結果が返信されてきて、登録されていない不適正である旨の判断が行なわれた場合には、前記一時貯留部７３，７４，７５に一時貯留されている有価証券（不適正有価証券）が仕分装置７７，７８，７９により仕分けられ、その不適正有価証券が経路８６から返却口９１に返却される。一方、適正と判断された有価証券は、仕分装置７７〜７９により仕分けられて穿孔装置８０，８１，８２に送られる。また、有価証券処理装置９は、その最終的に適正と判断された有価証券に対する支払い金額データを支払指令信号とともに金銭自動支払装置１０に送信する。そして金銭自動支払装置１０が後述するように、金銭の支払いを完了すれば、支払完了信号が有価証券処理装置９に返信されてくるのであり、その支払完了信号を受けて、有価証券処理装置９では、前記穿孔装置８０〜８２により、有価証券の第１，第２コード部分にパンチ孔を開けるとともに、当該有価証券買取所を特定するための予備コードをその特殊景品に書込んで有価証券ストック部８３，８４，８５にストックしておく。
【００５０】
この有価証券ストック部８３〜８５がストックされた有価証券で満杯となれば満杯検出器８７，８８，８９がその旨を検出して、満杯となった有価証券ストック部８３，８４，８５に対応する満杯表示器６４，６５，６６が点灯または点滅される。
【００５１】
有価証券処理装置９には、金額表示器５９が設けられており、投入口６７，６８，６９に投入されてコード上一応適正と判断された有価証券の合計金額がこの金額表示器５９により表示される。そして、集中管理装置１９により登録されている有価証券であるか否かの判別がなされ、登録されていない不適正な有価証券が発見された場合には、その不適正有価証券を除いた残りの合計金額が表示されるようにこの表示器５９の表示金額が切換えられる。また、有価証券処理装置９は、ＣＲＴあるいは液晶表示装置等からなるモニタ画面５８が設けられており、このモニタ画面５８により操作手順やエラー発生時におけるエラー原因等が表示される。
【００５２】
金銭自動支払装置１０は、以下の種々の機器を制御するための制御部１１９が設けられている。この制御部１１９は、ＣＰＵ，ＲＯＭ，ＲＡＭ等を含んでいる。金銭自動支払装置１０では、有価証券のコード上のセキュリティに基づいて適正なコードと判断した有価証券処理装置９が送信してきた前記一応適正と判断された有価証券に対する支払金額データ（支払準備信号を含む）に基づいて、その枚数分の有価証券の合計金額を支払準備金額として払出準備金額表示器９３に表示する。そして、その払出準備金額に基づいて１００００円，５０００円，１０００円の貨幣の払出枚数を払出枚数表示器９５，９６，９７により表示する。次に、払出準備金額に基づいた払出枚数分の貨幣をそれぞれ貨幣収納部１０１，１０２，１０３から取出して貨幣計数器１０７，１０８，１０９により計数する。そして計数した状態で、有価証券処理装置９からの最終的な支払指令信号が送信されてくるのを待つ。前述したように、有価証券処理装置９では、投入された有価証券に付されている第２コードや第２証券ＮＯ．情報に基づいて集中管理装置１９による登録の有無の判断結果が返信されてきた場合に、その判断結果に基づいて不適正と判断された有価証券は返却し、適正と判断された有価証券のみについての支払金額データ等を金銭自動支払装置１０に送信してそれに基づいた最終的な支払指令信号を出力するのである。金銭自動支払装置１０では、その最終的な信号に基づいて、最終的な支払金額を支払金額表示器９４により表示する。通常は、支払準備金額表示器９３に表示されている支払準備金額と、支払金額表示器９４に表示されている最終的な支払金額とは一致するが、集中管理装置１９に登録されていない不適正な有価証券が有価証券処理装置９に投入されれば、その不適正な有価証券の金額分だけ支払金額表示器９４に表示される金額が少なくなる。
【００５３】
そして、支払準備金額表示器９３に表示されている支払準備金額と支払金額表示器９４に表示されている支払金額とが一致する場合すなわち有価証券処理装置９に投入された有価証券の中に未登録の有価証券が存在しなかった場合には、前記貨幣計数器１０７，１０８，１０９で計数された貨幣がそのまま貨幣払出口１１３，１１４，１１５から払出される。一方、有価証券処理装置９に投入された有価証券の中に未登録の有価証券が存在していた場合には、支払準備金額よりも最終的な支払金額の方が少なくなるために、１００００円，５０００円，１０００円の貨幣のうちのいずれかあるいはすべての払出枚数が少なくなる。この場合には、少なくなった最終的な払出枚数が払出枚数表示器９５，９６，９７により表示され、かつ、前記貨幣計数器１０７，１０８，１０９で計数された貨幣のうち最終的に少ない払出枚数となった貨幣に相当する貨幣計数器で計数された貨幣が振分装置１１０，１１１，１１２の働きにより振分けられて貨幣貯留部１１６，１１７，１１８に貯留される。そして、少なくなった最終的な払出枚数を再度貨幣計数器が計数し、その最終的に計数し直された貨幣が貨幣払出口から払出される。たとえば、払出準備金額が１７０００円で、１００００円札が１枚，５０００円札が１枚，１０００円札が２枚払出準備をするべくそれぞれの枚数を貨幣計数器１０７，１０８，１０９が計数した後、有価証券処理装置９に投入された有価証券のうち１０００円の額面の有価証券１個が未登録であった場合には、最終的な払出金額は１６０００円となり、１０００円札を２枚払出す予定であったものを１０００円札１枚に変更しなければならない。その場合には、既に貨幣計数器１０９により計数された２枚の１０００円札を振分装置１１２により一旦貨幣貯留部１１８の方に振分けて貯留した後、再度貨幣計数装置１１２により１枚の１０００円札を計数してその１枚の１０００円札を貨幣払出口１１５から払出す。なお、他の貨幣計数装置１１０，１１１で計数されたそれぞれの貨幣はそのまま貨幣払出口１１３，１１４から払出される。
【００５４】
図中１０４，１０５，１０６は貨幣不足検出器であり、貨幣収納部１０１，１０２，１０３に収納されているそれぞれの貨幣が欠乏したことを検出し、その検出信号に基づいて不足表示器９８，９９，１００が点灯または点滅表示される。
【００５５】
図６は、商店１３Ａ，１３Ｂに設置されている有価証券処理装置１４および釣銭自動支払装置１５の構成を示す構成図である。この有価証券処理装置１４と釣銭自動支払装置１５とは、図５に示した有価証券処理装置９と金銭自動支払装置１０とに類似しており、ここでは主に相違点について説明する。客が有価証券とその有価証券と交換したい商品とを商店のレジに持ってくれば、商店の店員がその有価証券の額面を見て額面別に有価証券の投入口６７，６８，６９に有価証券を投入する。そして投入された有価証券の合計投入金額が投入額表示器５９により表示され、次に店員が商品に付されているバーコードをバーコードスキャナ１４０により読取らせる。すると、そのバーコードスキャナで読取った商品の金額が制御部１２１に入力され、制御部１２１で、投入された有価証券の合計金額からバーコードスキャナ１４０で読取った商品の金額を減額した残額を算出し、その残額が残額表示器１２０により表示される。そして、交換したい商品の読取がすべて終了すれば、確認ボタン９０の操作により残額表示器１２０により表示されている残額分の釣銭を払出すための支払準備指令信号とその残額データとが有価証券処理装置１４から釣銭自動支払装置１５に送信される。釣銭自動支払装置では、その送信されてきた情報に基づいて、残額分の釣銭を支払うための準備動作を開始する。
【００５６】
一方、有価証券処理装置１４は、図５で説明したのと同様に、投入された有価証券が適正であるか否かを判別するための動作を行ない、その投入された有価証券が登録されているか否かを商店用管理装置１６，集中管理装置１９により照合してもらう動作を行なう。そして適正に登録されている有価証券の場合には、前記残額分の釣銭を支払うための支払指令信号を釣銭自動支払装置１５に送信し、釣銭自動支払装置１５は、実際に釣銭を払出す。一方、有価証券処理装置１４において、照合結果不適正な有価証券が投入されている場合には、その不適正な有価証券を差引いた残りの適正な有価証券のみの投入金額が計算され、その投入金額が投入額表示器５９により表示されるとともに、その投入額表示器５９に表示されている投入金額から商品の金額を差引いた残額が計算されてその残額が残額表示器１２０により表示し直される。そしてその新たな残額分の釣銭を払出すための支払指令信号とその新たな残額データとが釣銭自動支払装置１５に送信される。釣銭自動支払装置１５では、その新たな残額分の釣銭を払出す。なお、投入された有価証券のうち適正な有価証券であると最終的に判断された有価証券の合計金額よりも交換せんとする商品の金額の方が上回った場合には、その旨をモニタ表示画面５８により表示させ、投入された有価証券を用いての商品の購入ができない旨の表示がなされる。
【００５７】
図７は、有価証券の構成を示す正面図である。図７（Ａ）は、有価証券製造所２０が製造した段階の有価証券が示されており、図示するように、５０００円の有価証券２１Ａであり、この有価証券２１Ａには、この段階では何らコードデータが記録されていない。
【００５８】
図７（Ｂ）は、有価証券が有価証券発行管理センター１７に納入されて有価証券発行装置１８により発行した段階の有価証券２１Ｂが示されており、前述した第１コード１４１がバーコードの形で記録されている。
【００５９】
図７（Ｃ）は、遊技場１Ａ，１Ｂに設置されている有価証券払出装置６から払出された段階の有価証券が示されており、この段階では、第１コード１４１の他に、第２コード１４２がバーコードの形で書込まれる。
【００６０】
図７（Ｄ）は、有価証券買取所８で買取られた有価証券あるいは商店１３Ａ，１３Ｂで商品購入に用いられた後の有価証券が示されており、有価証券２１Ｄに記録されている第１コード１４１，第２コード１４２にパンチ孔１４３が穿設されるとともに、予備コード１４４が記録される。この予備コード１４４は、有価証券処理装置９あるいは有価証券処理装置１４により記録されるものであり、買取った有価証券買取所８を特定するための識別情報（扱店コード）あるいは使用された商店１３Ａ，１３Ｂを特定するための識別情報（扱店コード）である。そして、有価証券買取所８により買取られた後あるいは商店１３Ａ，１３Ｂにより使用された後のカードを有価証券発行管理センター１７が回収するようにした場合には、回収した後の有価証券２１Ａに記録されているこの予備コード１４４を読取ることにより、どこの有価証券買取所８あるいはどこの商店１３Ａ，１３Ｂによりどの程度の有価証券が買取，使用されたかの集計データとして利用することができる。
【００６１】
図８は、遊技場に設置された有価証券払出装置の制御動作を示すフローチャートである。まずステップＳ（以下単にＳという）Ａ１により、遊技媒体の投入があったか否かの判断がなされる。遊技者が遊技をした結果獲得した遊技玉，景品玉等の遊技媒体を玉数計数装置５０に投入するか、または遊技の結果獲得したメダル等の遊技媒体をメダル計数装置５３に投入すれば、ＳＡ１によりＹＥＳの判断がなされてＳＡ２に進み、投入された遊技媒体が計数されて玉数表示器２６あるいはメダル数表示器２７による遊技媒体の計数表示が行なわれる。そしてＳＡ３に進み、計数終了確認操作があったか否かの判断がなされ、あるまで待機する。有価証券払出装置６に設けられている確認ボタン３６が押圧操作されれば、ＳＡ４に進み、遊技媒体の計数値をもとに有価証券払出枚数を算出する動作が行なわれる。次にＳＡ５に進み、有価証券ストック部３７，３８，３９にストックされている有価証券の中から、前記ＳＡ４により算出された有価証券の枚数分払出すべく１枚ずつ払出装置４３〜４５が取出す動作が行なわれる。次にＳＡ６に進み、その取出した有価証券に付与されている第１コードを払出装置４３〜４５が読取る動作が行なわれ、ＳＡ７に進み、読取った第１コードに逆スクランブル（複合化）をかけて元のデータに戻す処理が行なわれる。この第１コードは、有価証券発行管理センター１７の有価証券発行装置１８から発行される際に第１コードがスクランブル（暗号化）を施された状態で有価証券に書込まれており、このＳＡ７により、そのスクランブル（暗号化）された第１コードを逆スクランブル（複合化）して通常のコードデータに戻すのである。
【００６２】
次にＳＡ８に進み、通常のコードデータに戻された第１コードに基づいてコード上整合性があるか否かの判断がなされる。この第１コードは、前述したように、第１証券情報を含むとともに、その第１証券情報に基づいて作成されたセキュリティコードを有しており、第１証券情報とセキュリティコードとの整合性がとれているか否かをこのＳＡ８により判断するのである。そして整合性がとれていない場合にはＳＡ１２に進み、その取出された有価証券を機内に回収する処理が払出装置４３によりなされる。この機内に回収する処理は、有価証券ストック部３７，３８，３９以外の不適正有価証券をストックする不適正有価証券ストック部に回収する。
【００６３】
一方、ＳＡ８により整合性ありと判断された場合にはＳＡ９に進み、読取った第１コードに含まれている第１証券ＮＯ．情報，証券額面情報，センター発行日情報，納入先コード情報からなる第１証券情報を証券情報照合要求信号とともにホール用管理装置７に出力する処理がなされる。これを受けてホール用管理装置７では、前述したように集中管理装置１９に登録の有無の照合をしてもらうためのデータを出力し、集中管理装置１９からその照合結果が返信されてくる。そしてその返信されてきた照合結果がホール用管理装置７から有価証券払出装置６に返信されてくる。照合結果信号が返信されてくれば、ＳＡ１０によりＹＥＳの判断がなされＳＡ１１に進み、登録中である旨を表わす照合結果信号であるか否かの判断がなされ、登録中でないすなわち未登録の不適正な有価証券であった場合にはＳＡ１２に進み、その不適正有価証券を前述と同様に回収する処理がなされてＳＡ５に戻る。一方、登録中であるとの照合結果が返信されてきた場合には、適正な有価証券であるために、ＳＡ１３に進み、第２証券ＮＯ．，遊技場発行日，発行店コードからなる第２証券情報をスクランブル（暗号化）する処理がなされる。次にＳＡ１４に進み、そのスクランブル（暗号化）したコードを第２コードとして有価証券に付与する処理が払出装置４３〜４５によりなされ、ＳＡ１５に進み、その第２コードが付与された有価証券を払出装置４３，４４，４５により払出口４６，４７，４８から払出す処理がなされる。次にＳＡ１６に進み、ＳＡ４により算出された枚数分の有価証券の払出が終了したか否かの判断がなされ、終了していない場合にはＳＡ５に戻り、未払出分の有価証券についてＳＡ５〜ＳＡ１５の処理がなされる。そして算出枚数分の払出が終了した段階でＳＡ１７に進み、投入された遊技媒体の計数値に端数があるか否かの判断がなされ、ない場合にはそのままプログラムが終了するが、ある場合にはＳＡ１８に進み、その端数分の遊技媒体を端数玉返却装置５１または端数メダル返却装置５４により返却する動作がなされる。なお、この端数遊技媒体の返却の代わりに、端数遊技媒体数を記録したレシート等の記録媒体を遊技者に発行してもよい。なお、有価証券が払出される際には、有価証券に遊技場発行日あるいは有効期限が印字される。
【００６４】
図９は、遊技場に設置されたホール用管理装置７の動作を説明するためのフローチャートである。ＳＢ１により、証券情報照合要求信号が入力されてきたか否かの判断がなされ、入力されていない場合にはそのままプログラムが終了する。一方、有価証券払出装置６から前記ＳＡ９に従って証券情報照合要求信号が送信されてくれば、ＳＢ１によりＹＥＳの判断がなされＳＢ２に進み、入力された第１証券ＮＯ．を第２証券ＮＯ．発行要求信号とともに有価証券発行管理センター１７の集中管理装置１９に出力する処理がなされる。集中管理装置１９では、それらの情報を受けて、前述したように送信されてきた第１証券ＮＯ．が予め登録されている第１条件ＮＯ．に該当するものがあるか否かの照合を行ない、その照合結果該当するものがある場合には、その該当する第１証券ＮＯ．に対応して記憶されている第１証券情報をホール用管理装置７に返信するとともに、未使用の第２証券ＮＯ．を割出してその第２証券ＮＯ．情報をホール用管理装置７に返信する。一方、集中管理装置１９は、ホール用管理装置７から送信されてきた第１証券ＮＯ．を照合した結果該当するものがない場合には、第１証券ＮＯ．未登録信号をホール用管理装置７に返信してくる。集中管理装置１９からの返信信号の入力があった場合には、ＳＢ３によりＹＥＳの判断がなされＳＢ４に進み、その返信されてきた信号が第１証券ＮＯ．未登録信号であるか否かの判断がなされ、未登録信号である場合にはＳＢ５に進み、未登録である旨の照合結果信号を有価証券払出装置６に出力する処理がなされる。一方、第１証券ＮＯ．未登録信号でない場合にはＳＢ６に進み、集中管理装置１９から返信されてきた第１証券情報と既に有価証券払出装置６から送信されてきている第１証券情報とを照合する動作が行なわれる。
【００６５】
そしてＳＢ７に進み、その照合結果両情報が一致するか否かの判断がなされ、一致しない場合にはＳＢ８に進み、未登録である旨の照合結果信号を有価証券払出装置６に出力する処理がなされる。次にＳＢ９に進み、集中管理装置１９から送信されてきた前記第２証券ＮＯ．を発行要求取消信号とともに集中管理装置１９に出力する処理がなされる。集中管理装置１９では、それを受けて、第２証券ＮＯ．の発行を取消し、発行取消完了信号をホール用管理装置７に返信する。ホール用管理装置７では、その発行取消完了信号の入力があればＳＢ１０によりＹＥＳの判断がなされてこの証券情報照合処理のプログラムが終了する。
【００６６】
一方、ＳＢ７により両情報が一致すると判断された場合にはＳＢ１１に進み、登録中である旨の照合結果信号と、第２証券ＮＯ．，遊技場発行日，発行店コードからなる第２証券情報を有価証券払出装置６に出力する処理がなされる。次にＳＢ１２に進み、第２証券ＮＯ．，遊技場発行日，発行店コードを第２情報ＮＯ．登録要求信号とともに集中管理装置１９に出力する処理がなされる。集中管理装置１９では、その出力されてきた情報を受けて、第２証券情報（第２コード）を当該有価証券の第１証券ＮＯ．に対応づけて登録する処理を行ない、第２証券情報登録完了信号をホール用管理装置７に返信する。その第２証券情報登録完了信号がホール用管理装置７に入力されれば、ＳＢ１３によりＹＥＳの判断がなされてＳＢ１４に進み、有価証券の額面別証券払出枚数情報を更新する処理がなされる。前述したように、ホール用管理装置７では、有価証券発行装置１８あるいは集中管理装置１９から送信されてきた有価証券の額面別納入枚数情報を予め登録しておき、有価証券払出装置６から有価証券が払出される毎に、その額面別の証券払出枚数を減額更新し、現時点における有価証券の在庫を算出するのであり、その処理がＳＢ１４によりなされる。
【００６７】
図１０は、有価証券処理装置９による有価証券買取動作を示すフローチャートである。ＳＣ１により、有価証券の投入があったか否かの判断がなされる。有価証券が投入口６７，６８，６９（図５参照）に投入されれば、ＳＣ１によりＹＥＳの判断がなされてＳＣ２に進み、その投入された有価証券を取込み、ＳＣ３に進み、有価証券読取装置７０，７１，７２により取込まれた有価証券に付与されている第１，第２コードを読取る動作がなされる。次にＳＣ４に進み、読取ったコードに逆スクランブル（複合化）をかけて元のデータに戻す処理がなされる。次にＳＣ５に進み、元のデータに戻された第１コードデータ（第１証券情報）と第２コードデータ（第２証券情報）とに含まれているそれぞれのセキュリティデータに基づいて、それらセキュリティデータとセキュリティデータ以外のデータとの間に整合性がとれているか否かの判断がなされる。そして整合性がとれていないと判断された場合にはその不適正な有価証券を返却口９１に返却する処理がＳＣ６によりなされ、その後ＳＣ１に戻る。
【００６８】
一方、整合性ありと判断された場合にはＳＣ７に進み、読取った第１コードデータ（第１証券情報）に含まれている証券額面情報を払出金額に加算する処理がなされる。次にＳＣ８に進み、第１，第２証券情報を証券情報照合要求信号とともに買取所用管理装置１１に出力する処理がなされる。次にＳＣ９に進み、ＳＣ７により加算更新された払出金額を金額表示器５９により表示するとともに、額面別の証券枚数を枚数表示器６１，６２，６３により表示する処理がなされる。次にＳＣ９に進み、確認操作があったか否かの判断がなされ、ない場合にはＳＣ１１に進み、有価証券の投入があったか否かの判断がなされ、ない場合にはＳＣ１０に戻る。そして、有価証券がさらに追加投入された場合には、ＳＣ１１によりＹＥＳの判断がなされＳＣ２に戻り、ＳＣ２〜ＳＣ９の処理がその追加投入された有価証券についてなされる。
【００６９】
一方、有価証券買取所８の係員が確認ボタン９０を操作すれば、ＳＣ１０によりＹＥＳの判断がなされてＳＣ１２に進む。ＳＣ１２では、金銭自動支払装置１０に払出金額分の支払準備信号を出力する処理がなされる。金銭自動支払装置では、この準備信号を受けて、払出金額分の支払準備を開始する。そしてＳＣ１３に進み、照合結果信号の入力があったか否かの判断がなされ、入力があるまで待機する。買取所用管理装置１１は、前記ＳＣ８に基づいて送信されてきた第１，第２証券情報を一旦記憶するとともに、第１証券情報に含まれている第１証券ＮＯ．情報と証券情報返信要求信号とを集中管理装置１９に送信する。そして集中管理装置１９から前述したように第１，第２証券情報あるいは第１証券ＮＯ．未登録信号あるいは第１証券ＮＯ．情報と第２証券ＮＯ．未登録信号が返信され、買取所用管理装置１１は、その返信信号を受けて、有価証券処理装置９に投入された有価証券が集中管理装置１９に正式に登録されている適正な有価証券であるか否かの照合判断を行ない、その照合結果を有価証券処理装置９に返信してくるのである。その照合結果信号が有価証券処理装置９に入力されれば、ＳＣ１３によりＹＥＳの判断がなされＳＣ１４に進み、照合結果信号が登録中である旨の信号であるか否かの判断がなされる。登録中信号である場合にはＳＣ１６に進みが、登録中でない未登録信号であった場合にはＳＣ１５に進み、払出金額から未登録分の金額を減算する処理がなされた後ＳＣ１６に進む。
【００７０】
ＳＣ１６では、すべての有価証券の照合が終了したか否かの判断がなされ、終了していない場合にはＳＣ１３に戻り、終了していない有価証券についての照合結果を待つ処理がなされる。そしてすべての有価証券の照合が終了した段階でＳＣ１７に進み、金銭自動支払装置１０に払出金額分の支払指令信号を出力する処理がなされる。金銭自動支払装置１０では、その支払指令信号を受けて実際に最終的な払出金額分の金銭の支払を行なう。次にＳＣ１８に進み、未登録の有価証券があったか否かの判断がなされ、ない場合にはＳＣ２０に進むが、あった場合にはＳＣ１９に進み、未登録の有価証券を返却口９１に返却する動作がなされる。次にＳＣ２０では、支払完了信号の入力があったか否かの判断がなされ、あるまで待機する。金銭自動支払装置１０が、前記ＳＣ１７による支払指令信号を受けて実際に金銭の支払を行ない、その金銭の支払が終了すれば支払完了信号を有価証券処理装置９に返信してくるのであり、その支払完了信号が有価証券処理装置９に入力されればＳＣ２０によりＹＥＳの判断がなされてＳＣ２１に進み、買取った有価証券の第１証券ＮＯ．を証券情報抹消要求信号とともに買取所用管理装置１１に出力する処理がなされる。買取所用管理装置１１では、その信号を受けて、前記買取った有価証券の第１証券ＮＯ．情報とともに証券情報抹消要求信号を集中管理装置１９に送信する。集中管理装置１９では、その信号を受けてその信号の中に含まれている第１証券ＮＯ．に相当する第１証券情報，第２証券情報の登録を抹消状態にし、その後抹消完了信号を買取所用管理装置１１に返信する。そして買取所用管理装置１１では、それを受けて抹消完了信号を有価証券処理装置９に返信する。有価証券処理装置９がその抹消完了信号を受ければＳＣ２２によりＹＥＳの判断がなされてＳＣ２３に進み、買取った有価証券に扱い店コード，額面情報，最終処理日情報を含む予備コード１４４（図７（Ｄ）参照）を書込付与する処理がなされる。次にＳＣ２４に進み、買取った有価証券の第１，第２コード部分にパンチ孔を空ける処理を穿孔装置８０，８１，８２により行ない、ＳＣ２５により、穿孔済の有価証券を有価証券ストック部８３，８４，８５にストックしておく処理がなされる。
【００７１】
図１１は、買取所用管理装置１１の動作を示すフローチャートである。図１１（Ａ）は証券情報照合動作を示すフローチャートであり、ＳＤ１により、有価証券照合要求信号の入力があったか否かの判断がなされ、ない場合にはそのままプログラムが終了する。前記ＳＣ８に基づいて有価証券処理装置９から証券情報照合要求信号が伝送されてくれば、ＳＤ２に進み、その伝送されてきた入力情報に含まれる第１証券ＮＯ．を証券情報返信要求信号とともに集中管理装置１９に出力する処理がなされる。有価証券処理装置９から買取所用管理装置１１に伝送されてくる情報は、前記ＳＣ８にも示されているように、証券情報照合要求信号ばかりでなく第１，第２証券情報も含まれているのであり、買取所用管理装置１１は、その伝送されてきた第１証券情報に含まれている第１証券ＮＯ．を証券情報返信要求信号とともに集中管理装置１９に出力する。集中管理装置１９では、その出力されてきた第１証券ＮＯ．が既に登録されているか否か等の判断を行なう。集中管理装置１９では、送信されてきた第１証券ＮＯ．情報が既に登録されている第１証券ＮＯ．に該当するものがありかつその第１証券ＮＯ．に対応して第１証券情報，第２証券情報ともに登録されている場合には、その第１証券情報，第２証券情報を買取所用管理装置１１に返信する。一方、第１証券情報は登録されているものの第２証券ＮＯ．が登録されていなかった場合には、その第１証券ＮＯ．情報と第２証券ＮＯ．未登録信号とを返信する。さらに、第１証券ＮＯ．すら何ら登録されていなかった場合には、第１証券ＮＯ．未登録信号を返信する。
【００７２】
これら返信信号が集中管理装置１９から入力されればＳＤ３によりＹＥＳの判断がなされてＳＤ４に進む。集中管理装置１９から返信されてきた信号が、前述した第１証券情報と第２証券情報とであった場合には、ＳＤ４によりＮＯの判断がなされてＳＤ５によりＮＯの判断がなされてＳＤ６に進み、有価証券処理装置９から既に送信されてきている第１，第２証券情報と集中管理装置１９から返信されてきた第１，第２証券情報とを照合する処理がなされる。そして、その照合結果、両情報が一致するか否かの判断がＳＤ７により行なわれ、両情報が一致すると判断された場合にはＳＤ８に進む。
【００７３】
ＳＤ８では、登録中である旨の照合結果信号を有価証券処理装置９に出力する処理がなされる。その結果、有価証券処理装置９では、前記ＳＣ１４によりＹＥＳの判断がなされる。次にＳＤ９に進み、有価証券の額面別買取枚数情報を更新する処理がなされる。すなわち、このＳＤ９により、有価証券買取所８に設置されている有価証券処理装置９により適正な有価証券を買取る毎に、その買取った有価証券の枚数が累積加算されるのである。
【００７４】
次にＳＤ１０に進み、支払額情報の入力があったか否かの判断がなされ、あるまで待機する。前述したように、有価証券処理装置９が払出指令信号を出力した金銭自動支払装置１０では、買上げた有価証券に相当するだけの金銭を払出し、その支払額情報を買取所用管理装置１１に送信するのであり、その支払額情報の入力があれば、ＳＤ１０によりＹＥＳの判断がなされてＳＤ１１に進み、金種別の払出枚数情報を更新する処理がなされる。このＳＤ１１により、金銭自動支払装置１０が金銭を支払う毎に、その支払った金銭の金種別の払出枚数が累積加算されるのである。
【００７５】
一方、集中管理装置１９からの入力データが第１証券ＮＯ．未登録信号であった場合には、ＳＤ１２に進み、有価証券処理装置９に投入された有価証券が偽造された有価証券である旨をスピーカあるいは表示装置等により係員に報知する処理がなされる。また、集中管理装置１９からの入力データが第２証券ＮＯ．未登録信号であった場合にはＳＤ１３に進み、盗難された有価証券である旨をスピーカや表示装置により係員に報知する処理がなされる。その後ＳＤ１４に進み、未登録である旨の照合結果信号を有価証券処理装置９に出力する処理がなされる。なお、ＳＤ６の照合結果、両情報が一致しない場合もＳＤ１４の出力処理がなされる。
【００７６】
図１１（Ｂ）は、証券情報抹消処理を示すフローチャートである。ＳＤ１５により、証券情報抹消要求信号の入力があったか否かの判断がなされ、ない場合にはそのままプログラムが終了する。有価証券処理装置９では、適正な有価証券を買上げた場合には、その買取った有価証券の第１，第２コード部分にパンチ孔を空けるとともに買取った有価証券の第１証券ＮＯ．を証券情報抹消要求信号とともに買取所用管理装置１１に出力するのであり（ＳＣ２１参照）、買取所用管理装置１１では、その情報が入力されれば、ＳＤ１５によりＹＥＳの判断がなされてＳＤ１６に進む。ＳＤ１６では、入力情報に含まれる第１証券ＮＯ．を扱店コード，証券情報抹消要求信号とともに集中管理装置１９に出力する処理がなされる。集中管理装置１９では、それらの信号を受けて、入力された第１証券ＮＯ．に該当する第１証券情報，第２証券情報を登録抹消状態にし、その後抹消完了信号を買取所用管理装置１１に返信する。その返信情報の入力があればＳＤ１７によりＹＥＳの判断がなされてＳＤ１８に進み、有価証券処理装置９に抹消完了信号を出力する処理がなされる。その結果、前記ＳＣ２２によりＹＥＳの判断がなされることとなる。
【００７７】
図１２は、集中管理装置１９の動作を示すフローチャートである。
図１２（Ａ）は、第１証券ＮＯ．発行動作を示すフローチャートである。Ｓ１により、第１証券ＮＯ．発行要求信号の入力があったか否かの判断がなされ、ない場合にはそのままプログラムが終了する。有価証券発行管理センター１７に設置されている有価証券発行装置１８から有価証券が発行される際には、前述したように、発行せんとする有価証券の額面別発行枚数情報とともに第１証券ＮＯ．発行要求信号が集中管理装置１９に送信されてくる。集中管理装置１９では、その送信データが入力されれば、Ｓ１によりＹＥＳの判断がなされてＳ２に進み、登録状況が未使用となっている第１証券ＮＯ．を検索し、送信されてきた額面別発行枚数分の第１証券ＮＯ．を発行し、その第１証券ＮＯ．情報を有価証券発行装置１８に返信する処理がなされる。次にＳ３に進み、発行した第１証券ＮＯ．の登録状況を準備中に変更する処理がなされる。つまり、Ｓ２により、未使用の第１証券ＮＯ．を割出し、その未使用の第１証券ＮＯ．を発行し、Ｓ３により、発行した第１証券ＮＯ．の登録状況を「準備中」にするのである。
【００７８】
図１２（Ｂ）は、第１証券情報登録処理を示すプログラムのフローチャートである。Ｓ４により、第１証券情報登録要求信号の入力があったか否かの判断がなされ、ない場合にはプログラムが終了する。一方、有価証券発行装置１８では、集中管理装置１９から送信されてきた第１証券ＮＯ．情報を含む第１証券情報を有価証券に書込付与した後その有価証券を発行するのであり、発行した後に有価証券発行装置１８は、その発行した有価証券に書込付与した第１証券情報とともに第１証券情報登録要求信号を集中管理装置１９に送信してくる。集中管理装置１９では、その情報を受信すれば、Ｓ４によりＹＥＳの判断がなされてＳ５に進み、入力情報に含まれる第１証券ＮＯ．に対応する記憶内容を入力された内容に更新する処理がなされる。このＳ５により、入力された第１証券ＮＯ．に対応する記憶領域に、前記有価証券発行装置１８が発行した有価証券に書込付与された第１証券情報すなわち証券額面情報，センター発行日情報，納入先コードが記憶されることとなる。次にＳ６に進み、入力された第１証券ＮＯ．の登録状況を「登録中」に書換える処理がなされる。次にＳ７に進み、登録完了信号を有価証券発行装置１８に出力する処理がなされ、次にＳ８により、納入先コードに基づき納入先毎の額面別納入数を更新する処理がなされる。このＳ８により、納入先である遊技場毎の額面別の有価証券の納入枚数が累積加算される。
【００７９】
図１２（Ｃ）は、第２証券ＮＯ．発行処理のプログラムを示すフローチャートである。Ｓ９により、第２証券ＮＯ．発行要求信号の入力があったか否かの判断がなされ、ない場合にはそのままプログラムが終了する。ＳＢ２に基づきホール用管理装置７から第１証券ＮＯ．情報とともに第２証券ＮＯ．発行要求信号が送信されてくれば、Ｓ９によりＹＥＳの判断がなされＳ１０に進み、入力情報に含まれる第１証券ＮＯ．の登録状況を参照する処理がなされる。そしてＳ１１により、登録状況が「登録中」になっているか否かの判断がなされる。そして「登録中」である場合にはＳ１２に進み、登録状況が「未使用」となっている第２証券ＮＯ．を検索し、その検索された第２証券ＮＯ．を第１証券ＮＯ．に対応する第１証券情報とともにホール用管理装置７に出力する処理がなされる。その結果、前記ＳＢ４によりＮＯの判断がなされることとなる。次にＳ１３により、発行した第２証券ＮＯ．の登録状況を「準備中」にする処理がなされる。
【００８０】
一方、Ｓ１０による登録状況の参照結果、登録状況が「登録中」でなかった場合にはＳ１４に進み、第１証券ＮＯ．未登録信号をホール用管理装置７に出力する処理がなされる。その結果、前記ＳＢ４によりＹＥＳの判断がなされることとなる。
【００８１】
図１２（Ｄ）は、第２証券ＮＯ．発行取消処理のプログラムを示すフローチャートである。Ｓ１５には、発行要求取消信号の入力があったか否かの判断がなされ、ない場合にはそのままプログラムが終了する。前記ＳＢ９によりホール用管理装置７から第２証券ＮＯ．が発行要求取消信号とともに送信されてくれば、Ｓ１５によりＹＥＳの判断がなされてＳ１６に進み、入力情報に含まれる第２証券ＮＯ．の登録状況を「未使用」にする処理がなされ、Ｓ１７により、発行取消完了信号をホール用管理装置７に出力する処理がなされる。その結果、前記ＳＢ１０によりＹＥＳの判断がなされることとなる。
【００８２】
図１３は、集中管理装置１９の動作を示すフローチャートである。
図１３（Ａ）は、第２証券情報登録処理のプログラムを示すフローチャートである。Ｓ１８により、第２証券登録要求信号の入力があったか否かの判断がなされ、なければそのままプログラムが終了する。前記ＳＢ１２に基づいてホール用管理装置７から、第２証券ＮＯ．，遊技場発行日，発行店コードが第２証券情報登録要求信号とともに集中管理装置１９に送信されてくれば、Ｓ１８によりＹＥＳの判断がなされてＳ１９に進み、その送信されてきた入力情報に含まれる第１証券ＮＯ．に対応する記憶内容を入力された内容に更新する処理がなされる。その結果、集中管理装置１９の第１証券ＮＯ．に対応する記憶領域に、その第１証券ＮＯ．の有価証券に書込付与された第２証券情報が記録されることとなる。次にＳ２０に進み、入力された第２証券ＮＯ．の登録状況を「登録中」にする処理がなされる。次にＳ２１に進み、第２証券情報登録完了信号をホール用管理装置７に出力する処理がなされる。これを受けたホール用管理装置７では、前記ＳＢ１３によりＹＥＳの判断がなされることとなる。次にＳ２２に進み、ホール用管理装置７から伝送されてきた第２証券情報に含まれている発行店コードに基づき発行店毎の有価証券の額面別払出枚数を更新する処理がなされる。これにより、遊技場毎の有価証券の発行枚数が累積加算される。
【００８３】
図１３（Ｂ）は、証券情報返信処理のプログラムを示すフローチャートである。Ｓ２３により、証券情報返信要求信号の入力があったか否かの判断がなされ、ない場合にはそのままプログラムが終了する。前記ＳＤ２に基づいて買取所用管理装置１１により、第１証券ＮＯ．が証券情報返信要求信号とともに集中管理装置１９に送信されてくればＳ２３によりＹＥＳの判断がなされてＳ２４に進み、その送信されてきた入力情報に含まれる第１証券ＮＯ．の登録状況を参照する処理がなされる。次にＳ２５により、その参照結果、登録状況が「登録中」であるか否かの判断がなされ、「登録中」である場合にはＳ２６に進み、第１証券ＮＯ．に対応して記憶されている証券情報の記憶領域のうち第２証券ＮＯ．の記憶領域を参照する処理がなされる。次にＳ２７に進み、第２証券ＮＯ．が記憶されているか否かの判断がなされ、記憶されている場合にはＳ２８に進み、その第２証券ＮＯ．の登録状況を参照する処理がなされる。そしてＳ２９に進み、登録状況が「登録中」であるか否かの判断がなされ、「登録中」である場合にはＳ３０により、第１証券ＮＯ．に対応して記憶されている証券情報を買取所用管理装置１１に出力する処理がなされる。その結果、前記ＳＤ４によりＮＯの判断がなされてＳＤ５によりＮＯの判断がなされることとなる。
【００８４】
一方、集中管理装置１９に第１証券ＮＯ．が登録されておりかつ第２証券ＮＯ．も登録されているが、第２証券ＮＯ．が「登録中」でない場合にはＳ２９によりＮＯの判断がなされてＳ３２に進み、第２証券ＮＯ．未登録信号を第１証券ＮＯ．とともに買取所用管理装置１１に出力する処理がなされる。また、集中管理装置１９に第１証券ＮＯ．は記憶されているがそれに対応する第２証券ＮＯ．が記憶されていない場合にはＳ２７によりＮＯの判断がなされてＳ３２に進み、第２証券ＮＯ．未登録信号を第１証券ＮＯ．とともに買取所用管理装置１１に出力する処理がなされる。さらに、集中管理装置１９において、第１証券ＮＯ．の登録状況が「登録中」でない場合には、Ｓ３１に進み、第１証券ＮＯ．未登録信号を買取所用管理装置１１に出力する処理がなされる。このＳ３１の出力により前記ＳＤ４によりＹＥＳの判断がなされ、Ｓ３２の出力により前記ＳＤ５によりＹＥＳの判断がなされることとなる。
【００８５】
図１４は、集中管理装置１９の動作を示すフローチャートである。
図１４（Ａ）は、証券情報抹消処理のプログラムを示すフローチャートである。Ｓ３３により証券情報抹消要求信号の入力があったか否かの判断がなされ、ない場合にはそのままプログラムが終了する。前記ＳＤ１６に基づいて、買取所用管理装置１１から、第１証券ＮＯ．が扱店コード，証券情報抹消要求信号とともに集中管理装置１９に送信されてくれば、Ｓ３３によりＹＥＳの判断がなされてＳ３４に進み、その送信されてきた入力情報に含まれる第１証券ＮＯ．の登録状況を参照する処理がなされ、Ｓ３５により、その参照結果登録状況が「登録中」であるか否かの判断がなされ、「登録中」でない場合には抹消する必要がないためにそのままプログラムが終了する。一方、「登録中」である場合にはＳ３６に進み、入力されてきた第１証券ＮＯ．に対応する扱店コードと最終処理日を更新する処理がなされる。これにより、第１証券ＮＯ．に対応する記憶領域に、当該有価証券を買取った有価証券買取所８のコードとその買取った最終処理日とが記録されることとなる。なお、商店１３Ａ，１３Ｂによって有価証券が商品に交換された場合には、その商店から第１証券ＮＯ．が扱店コード，証券情報抹消要求信号とともに集中管理装置１９に送信されてくるのであり、その場合には、Ｓ３６により、送信されてきた商店のコードとその商店によって商品に交換された最終処理日とが記録されることとなる。
【００８６】
次にＳ３７に進み、その扱店コードに基づき、最終処理欄を「買取」または「使用」にする処理がなされる。これは、当該有価証券が有価証券買取所８により買取られた場合には「買取」にし、いずれかの商店１３Ａ，１３Ｂにより商品に交換された場合には「使用」にするのである。次にＳ３８に進み、第１証券ＮＯ．，第２証券ＮＯ．の登録状況を「抹消」にする処理がなされる。次にＳ３９に進み、抹消完了信号を買取所用管理装置１１（または商店用管理装置１６）に出力する処理がなされる。なお、商店用管理装置１６の動作は図１１に示した動作とほご同じであり、また、集中管理装置１９や有価証券処理装置１４等に対するデータのやり取りも買取所用管理装置１１と同じであるため、本実施例では説明の繰返しを省略する。
【００８７】
図１４（Ｂ）は、抹消データ消去処理のプログラムを示すフローチャートである。Ｓ４０により、抹消データ消去条件が成立したか否かの判断がなされ、成立していない場合にはそのままプログラムが終了する。集中管理装置１９において抹消データの消去条件が成立した否かを判別するのは、通常１日の営業終了時において前記「買取」または「使用」の情報の集計管理を行なうのが一般的であるために、その情報管理が行なわれる営業終了時まで抹消データを保存しておくためである。そしてその営業終了時になればＳ４０によりＹＥＳの判断がなされてＳ４１に進む。Ｓ４１では、登録状況が抹消になっている第１証券ＮＯ．を検索し、Ｓ４２により、該当する第１証券ＮＯ．があるか否かの判断がなされ、ない場合にはそのまま終了するが、ある場合にはＳ４３に進み、第１証券ＮＯ．に対応する記憶情報をもとに発行店毎の額面別発行日別買取数，使用数を更新する処理がなされる。これで、前記Ｓ３７に基づいて、扱い登録情報が「抹消」にされた証券情報が「買取」または「使用」にされているために、その記憶データに基づいて「買取」になっているものについては買取数を累積加算し、「使用」になっているものについては使用数を累積加算する。Ｓ４３の処理の結果、発行店である遊技場毎の有価証券の額面別発行日別の、有価証券買取所による買取総枚数と商店による使用総枚数とが算出される。
【００８８】
次にＳ４４に進み、扱店毎の額面別処理日別買取数，使用数の更新がなされる。その結果、有価証券買取所別，商店別のかつ有価証券の額面別のかつ買取所あるいは商店での最終処理日別の、有価証券の買取数と有価証券の使用数との総枚数が算出される。次にＳ４５に進み、第２証券ＮＯ．の登録状況を「未使用」にし、対応する第１証券ＮＯ．を消去する処理がなされる。次にＳ４６に進み、第１証券ＮＯ．の登録状況を「未使用」にし、第１証券ＮＯ．以外の記憶情報を消去する処理がなされた後Ｓ４１に戻る。そしてＳ４１〜Ｓ４６の処理を繰返し実行し、登録状況が「抹消」になっている第１証券ＮＯ．に関しすべてこの抹消データ消去の処理がなされた段階で、Ｓ４２によりＮＯの判断がなされてプログラムが終了する。
【００８９】
図１４（Ｃ）は、期限切データの消去処理を行なうプログラムを示すフローチャートである。Ｓ４７により、期限切データ消去条件が成立したか否かの判断がなされ、成立していない場合にはそのままプログラムが終了する。そして、前記Ｓ４０と同一の趣旨により設けられた消去条件が成立すればＳ４７によりＹＥＳの判断がなされてＳ４８に進み、集中管理装置１９に記憶されて遊技場発行日をもとに期限切となっている第１証券ＮＯ．を検索する処理がなされ、Ｓ４９に進み、該当する第１証券ＮＯ．があるか否かの判断がなされ、ない場合にはそのままプログラムが終了する。該当するものがあった場合にはＳ５０に進み、その該当する第１証券ＮＯ．に対応する記憶情報をもとに、発行店毎の額面別，発行日別の期限切数を更新する処理がなされる。このＳ５０により、期限切となった有価証券が、その有価証券を発行した遊技場である発行店毎に、かつ有価証券の額面別に、かつ有価証券の遊技場での発行日別に分類されて集計される。次にＳ５１に進み、第２証券ＮＯ．の登録状況を「未使用」にし、対応する第１証券ＮＯ．を消去する処理がなされる。次にＳ５２に進み、第１証券ＮＯ．の登録状況を「未使用」にし、第１証券ＮＯ．以外の記憶情報を消去する処理がなされた後Ｓ４８に戻る。そして、Ｓ４８〜Ｓ５２の処理が繰返し実行され、期限切となったすべての有価証券についてのデータ消去処理が実行された段階でＳ４９によりＮＯの判断がなされてプログラムが終了する。
【００９０】
図１５は、ホール用管理装置７に分類記憶されている有価証券の入出庫データを示した図である。このホール用管理装置７に分類記憶されている有価証券入出庫データが、図１５に示す表の形で表示または印字出力される。図１５に示す表の一番左側の列には、日付データが示されている。そして、図１５に示すように、５０００円，３０００円，１０００円の各額面の有価証券毎に分類されて入庫数データと払出数データとが記憶されている。そして、図示するように、各日付毎に、各額面毎に分類されて、入庫数データと払出数データとが記憶されており、１１／１〜１１／３０までの１カ月のそれぞれの合計が、合計数としてａ，ｂ，ｃ，ｄ，ｅ，ｆとして記憶されている。そして、それぞれの合計金額は、合計数に額面をかけた値となり、５０００ａ，３０００ｃ，１０００ｅとなる。
【００９１】
前月在庫とは、前の月（１０月）における各額面毎の有価証券の在庫数であり、ｇ，ｈ，ｉとして記憶されている。そして、１１／１〜１１／３０の１カ月間が経過した段階での現時点の総在庫数は、５０００円の額面の有価証券の場合には（ａ−ｂ＋ｇ）となり、３０００円の額面の有価証券の場合には（ｃ−ｄ＋ｈ）となり、１０００円の額面の有価証券の場合には（ｅ−ｆ＋ｉ）となる。そして、この遊技場が有価証券発行管理センター１７から納入した有価証券に対する払出額は、前述した３％の手数料を上乗せして、（５０００ａ＋３０００ｃ＋１０００ｅ）×１．０３となる。
【００９２】
図１６は、買取所用管理装置１１に分類記憶されている有価証券買取状況のデータを示した図である。この買取所用管理装置１１に分類記憶されている有価証券買取状況のデータが、図１６に示す表の形で表示または印字出力される。図１６に示す一番左側の列には、日付データが示されている。この日付データは、１１／１〜１１／３０の１カ月間の日付である。そして各日付毎に対応して有価証券の額面別買取枚数が示されている。すなわち、５０００円，３０００円，１０００円の３種類の額面別に有価証券の買取枚数が示されている。さらに、各日付毎に、すべての有価証券の買取合計金額が算出されて記憶される。
【００９３】
また、各日付毎に、有価証券買取所８が払出した貨幣の金種別払出枚数が記憶されている。そして各日付毎に、有価証券買取所８が払出した合計金額が算出されて記憶される。
【００９４】
さらに、１１／１〜１１／３０の１カ月間にわたっての有価証券の額面別買取枚数の合計ｊ，ｋ，ｍが算出されて記憶され、１１／１〜１１／３０の１カ月間における有価証券の合計買取額の総合計（５ｊ＋３ｋ＋ｍ）×１０００が算出されて記憶される。さらに、１１／１〜１１／３０の１カ月間における貨幣の金種別払出枚数の合計ｎ，ｐ，ｑが算出されて記憶されるとともに、払出した合計金額の１カ月間にわたっての総合計（１０ｎ＋５ｐ＋ｑ）×１０００が算出されて記憶される。そして、有価証券発行管理センター１７への請求額である、（５ｊ＋３ｋ＋ｍ）×１．０１×１０００が算出されて記憶される。
【００９５】
図１７は、商店用管理装置１６に記憶されている有価証券使用状況のデータと商品売上状況のデータを示す図である。商店用管理装置１６に記憶されているこれらデータが、図１７（Ａ）（Ｂ）に示す表の形で表示または印字出力される。
【００９６】
まず１７（Ａ）の有価証券使用状況のデータは、１１／１〜１１／３０の１カ月間にわたって、商店１３Ａでの有価証券の額面別使用枚数が分類記憶されている。さらに、各日付に対応して全有価証券の合計使用金額が算出されて記憶される。また、１１／１〜１１／３０の１カ月間にわたっての有価証券の額面別使用枚数の合計ｒ，ｓ，ｔが算出されて記憶され、合計使用金額の１カ月間にわたっての総合計（５ｒ＋３ｓ＋ｔ）×１０００が算出されて記憶される。
【００９７】
また、商店で釣銭として払出した金種別払出枚数が、各日付に対応させて記憶され、各日付における金種別払出枚数の合計金額が算出されて記憶される。さらに、有価証券発行管理センター１７への請求金額である、（５ｒ＋３ｓ＋ｔ）×０．９８×１０００が算出されて記憶される。
【００９８】
図１７（Ｂ）の商品売上状況のデータは、１１／１〜１１／３０の１カ月間にわたって、各日付毎に、商品の種類Ａ（コード００００１，単価３，２００），Ｂ（コード００００２，単価２，５００）毎に、売上数と売上額とが分類記憶される。さらに、各日付毎に、販売されたすべての種類の商品の売上合計テ１，テ２…と釣銭合計ト１，ト２…が算出されて記憶される。また、さらに、各日付毎に、売上合計と釣銭合計との和である合計ナ１，ナ２…が算出されて記憶される。また、１１／１〜１１／３０の１カ月間での、売上数合計チ，ツ，…と、売上額合計３２００チ，２５００ツ，…と、売上合計の総額テと、釣銭合計の総額トと、合計の総額ナとが算出されて記憶される。
【００９９】
図１８は、集中管理装置１９に記憶されている有価証券管理用データを示した図である。集中管理装置１９に記憶されている有価証券管理用データは、図１８に示す表の形で表示または印字出力される。有価証券管理用データは、第１証券ＮＯ．毎に各データを分類記憶した部分（図１８（Ａ）参照）と、第２証券ＮＯ．毎に各データを分類記憶した部分（図１８（Ｂ）参照）とからなる。第１証券ＮＯ．毎に各データを分類記憶した部分は、証券額面データ，センター発行日データ，納入先コード，第２証券ＮＯ．，遊技場発行日データ，発行店コード，登録状況，最終処理状況，扱店コード，最終処理日データが分類記憶されている。第２証券ＮＯ．毎に各データを分類記憶している部分は、登録状況，第１証券ＮＯ．が分類記憶されている。
【０１００】
登録状況の欄は、抹消，登録中，準備中，未使用の４種類の状態が記憶されており、前述したように、有価証券発行装置１８から第１証券ＮＯ．発行要求信号が送信されてくれば集中管理装置１９が未使用の状態になっている第１証券ＮＯ．を発行するのであり、その発行した段階で登録状況が「準備中」となる。そして、有価証券発行装置１８から前述したように第１証券情報登録要求信号が送信されてくれば、集中管理装置１９は、前記「準備中」を「登録中」に更新する。さらに、買取所用管理装置１１あるいは商店用管理装置１６から証券情報抹消要求信号が送信されてくれば、集中管理装置１９は「登録中」を「抹消」に更新する。
【０１０１】
最終処理の欄は、買取と使用との２種類がある。有価証券が最終的に有価証券買取所８で買取られた場合には「買取」となり、商店１３Ａ，１３Ｂにより商品に交換された場合には「使用」となる。そしてまた有価証券買取所８により未だ買取られないでかつ商店１３Ａ，１３Ｂにより使用されていない有価証券に関しては、最終処理の欄には何も記憶されていない。
【０１０２】
第２証券ＮＯ．毎にデータを分類記憶している部分についても、登録状況の欄は、抹消，登録中，準備中，未使用の４種類がある。ホール用管理装置７から第２証券ＮＯ．発行要求信号が送信されてくれば、集中管理装置１９は未使用となっている第２証券ＮＯ．を発行し、その段階で登録状況を「準備中」にする。次にホール用管理装置７から第２証券情報登録要求信号が送信されてくれば、集中管理装置１９は「準備中」を「登録中」に更新する。そして、買取所用管理装置１１または商店用管理装置１６から証券情報抹消要求信号が送信されてくれば、集中管理装置１９は「登録中」を「抹消」に更新する。
【０１０３】
図１９は、集中管理装置１９に記憶されているＡホールすなわち納入先コードが０１２３４５６で発行店コードが１３５７２４６の遊技場１Ａの有価証券入出庫管理データを示す図である。集中管理装置１９は、遊技場毎に図１９に示すようなデータを分類記憶しており、この分類記憶されているデータが図１９に示すような表の形で表示または印字出力される。Ａホール有価証券入出庫管理データは、１１／１〜１１／３０までの１カ月間にわたって、各日付毎に各種データが分類記憶されている。この各種データは有価証券の額面５０００円，３０００円，１０００円毎に分類記憶されている。各種データとしては、たとえば額面５０００円を例にすれば、Ａホールである遊技場１Ａに納入した有価証券の納入日別の納入数Ａ１，Ａ２…と、遊技場１Ａが払出した有価証券の遊技場発行日別の払出数Ｂ１，Ｂ２…と、有価証券買取所８が買取った有価証券の遊技場発行日別の買取数Ｃ１，Ｃ２…と、商店１３Ａ，１３Ｂにおいて使用された有価証券の遊技場発行日別の使用数Ｄ１，Ｄ２…と、期限切となった有価証券の遊技場発行日別の枚数Ｅ１，Ｅ２…と、残数｛Ｂ１−（Ｃ１＋Ｄ１＋Ｅ１）｝…である。この残数は、遊技場１Ａが払出した有価証券のうち、未だに有価証券買取所８により買取られておらずかつ商店１３Ａ，１３Ｂにより使用されておらずかつ期限切となっていない有価証券の数のことである。
【０１０４】
さらに、１１／１〜１１／３０の１カ月間にわたっての、納入数合計Ａと払出数合計Ｂと買取数合計Ｃと使用数合計Ｄと期限切数合計Ｅと残数合計｛Ｂ−（Ｃ＋Ｄ＋Ｅ）｝とが算出されて記憶される。そして前月在庫すなわち１０／１〜１０／３１の１カ月間での遊技場１Ａにおける有価証券の在庫数Ｐが記憶され、現時点における総在庫である、Ａ−Ｂ＋Ｐが算出されて記憶される。さらに前月の有価証券の残数Ｓが記憶されており、現時点における総残数であるＢ−（Ｃ−Ｄ＋Ｅ）＋Ｓが算出されて記憶される。さらに、前月における期限切となった有価証券の総数Ｖが記憶されており、現時点における総期限切枚数である、Ｅ＋Ｖが算出されて記憶される。
【０１０５】
また、遊技場１Ａに有価証券を納入した納入合計額が各日付毎に算出されて記憶されるとともに、遊技場１Ａが払出した有価証券の払出合計金額が各日付毎に分類記憶される。そして、１１／１〜１１／３０までの１カ月間での納入合計額の合計である、（５Ａ＋３Ｆ＋Ｋ）×１０００が算出されて記憶され、さらに１カ月間にわたっての払出合計金額の合計である、（５Ｂ＋３Ｇ＋Ｌ）×１０００が算出されて記憶される。また、有価証券発行管理センター１７が遊技場１Ａに対し請求する請求金額である、（５Ａ＋３Ｆ＋Ｋ）×１．０３×１０００が算出されて記憶される。
【０１０６】
図２０は、集中管理装置１９に記憶されている扱店コードが２４６８１３５のＣ有価証券買取所における有価証券買取データを示す図である。集中管理装置１９に記憶されているこの有価証券買取データは、図２０に示す表の形で表示または印字出力される。この有価証券買取データは、Ｃ有価証券買取所と提携している遊技場であるＡホール，Ｂホールによって払出された有価証券の買取データが示されている。そして、１１／１〜１１／３０の１カ月間にわたって、各日付毎に、５０００円，３０００円，１０００円の各額面毎の有価証券の買取数が分類記憶されている。そして各日付毎の有価証券の合計買取額が算出されて記憶される。さらに、１１／１〜１１／３０の１カ月間にわたっての各額面毎の有価証券の買取合計ア，イ，ウ，オ，カ，キが算出されて記憶され、各遊技場毎の１カ月間にわたっての買取額合計に関する、エ＝５ア＋３イ＋ウ，ク＝５オ＋３カ＋キが算出されて記憶される。
【０１０７】
さらに、ＡホールとＢホールとの各有価証券の買取データの和すなわちＣ有価証券買取所における合計買取数が、各額面毎にかつ各日付毎に算出されて分類記憶される。さらに、各日付毎のＣ有価証券買取所における有価証券の買取合計額が算出されて記憶される。また、１１／１〜１１／３０の１カ月間にわたっての、Ｃ有価証券買取所における各額面毎の有価証券の買取合計数である、ア＋オ，イ＋カ，ウ＋キが算出されて記憶され、それら１カ月間における有価証券の買取合計金額である、（エ＋ク）×１０００が算出されて記憶される。また、有価証券発行管理センター１７がＣ有価証券買取所に支払う支払額である、（エ＋ク）×１．０１×１０００＝｛５（ア＋オ）＋３（イ＋カ）＋（ウ＋キ）｝×１．０１×１０００が算出されて記憶される。
【０１０８】
図２１は、扱店コードが９７５３８６４のＤ商店における有価証券使用状況データを示す図である。Ｄ商店は、ＡホールとＢホールと提携しており、これら両ホールから払出された有価証券がこのＤ商店で商品購入に使用される。この集中管理装置１９に記憶されているＤ商店における有価証券使用状況データは、図２１に示す表の形で表示または印字出力される。
【０１０９】
このＤ商店有価証券使用状況データは、ＡホールとＢホールとに分けて、１１／１〜１１／３０の１カ月間にわたって、各日付毎にまた有価証券の額面別毎に有価証券の使用枚数が分類記憶される。また、ＡホールとＢホールとの各有価証券の使用枚数データの和すなわちＤ商店における有価証券の使用枚数データが、各日付毎にかつ各額面毎に算出されて記憶される。また、各日付毎に、Ａホールから払出された有価証券の使用合計金額と、Ｂホールから払出された有価証券の使用合計金額と、それらの和とが算出されて記憶される。さらに、１１／１〜１１／３０の１カ月間にわたっての遊技場毎のかつ額面別の有価証券の使用合計数である、ケ，コ，サ，ス，セ，ソが算出されて記憶されるとともに、ＡホールとＢホールとの使用合計数の和であるケ＋ス，コ＋セ，サ＋ソが算出されて記憶される。また、ＡホールとＢホールとから払出された有価証券の１カ月間にわたっての使用合計金額に関する、シ＝５ケ＋３コ＋サ，タ＝５ス＋３セ＋ソが算出されて記憶され、それら両ホールの合計額の和である（シ＋タ）×１０００が算出されて記憶される。
【０１１０】
さらに、有価証券発行管理センター１７がＤ商店に対し支払う支払額である、（シ＋タ）×０．９８×１０００＝｛５（ケ＋ス）＋３（コ＋セ）＋（サ＋ソ）｝×０．９８×１０００が算出されて記憶される。
【０１１１】
次に、以上説明した実施例の特徴や変形例等を以下に列挙する。
（１）  図１において、有価証券買取所８内に、遊技者１人１人を撮影する自動テレビカメラを設置し、その撮影データを集中管理室（たとえば有価証券発行管理センター１７内に設ける）に転送してリアルタイムで監視するようにしてもよい。またこのテレビカメラは有価証券買取所８の係員が手動でＯＮ操作して撮影したり録画したりする手動動作のものであってもよい。さらに、買取所用管理装置１１の管理機能を有価証券処理装置９に内蔵させてもよく、また、商店用管理用装置１６の管理機能を有価証券処理装置１４に内蔵させてもよく、さらには集中管理装置１９の管理機能を有価証券発行装置１８に内蔵させてもよい。
【０１１２】
有価証券払出装置６から払出された有価証券により、遊技場で遊技を行なった遊技者により景品交換された景品が構成されている。この景品は、前述したように全国共通カードであってもよい。すなわち、遊技者の購入代金の対価としての共通有価価値を特定可能な情報が記録されており複数の遊技場で共通に使用可能な共通記録媒体であってもよい。そして、有価証券払出装置で払出された共通記録媒体に関しては、遊技に使用できる範囲をカード販売機２で販売された共通記録媒体と異ならせてもよい。たとえば使用範囲を当該遊技場あるいはその系列店のみに限定する。そして、その場合には、有価証券払出装置６から払出す共通記録媒体に対し使用範囲を限定するための識別情報を記録させる。
【０１１３】
有価証券処理装置９により、遊技場で遊技を行なった遊技者により景品交換された景品を処理する景品処理装置が構成されている。また、図１に示した景品管理システムは、景品を製造する景品製造所と、該景品製造所で製造された景品それぞれを識別するための景品識別情報を当該景品に付与する景品識別情報付与手段と、該景品識別情報付与手段により付与された景品識別情報を登録する景品識別情報登録手段と、前記景品識別情報付与手段により識別情報が付与された景品が納入される遊技場と、該遊技場に設置されている遊技機による遊技の結果として遊技者に付与された遊技結果価値を使用して景品交換された景品を買取る景品買取所と、前記遊技結果価値を使用して景品交換された景品を商品の購入に使用可能な商店と、前記景品識別情報付与手段により識別情報が付与された景品が前記遊技場に納入されその後前記景品買取所または前記商店にまで流通する流通過程で、当該景品に付されている景品識別情報を読取る景品識別情報読取手段と、該景品識別情報読取手段が読取った景品識別情報と前記景品識別情報登録手段に登録されている景品識別情報とを照合して、前記景品識別情報読取手段が読取った景品識別情報が予め登録されている適正な景品識別情報であるか否かを判別する適否判別手段とを含む。
【０１１４】
また、図１に示した景品製造所の一例の有価証券製造所２０と景品発行管理センターの一例の有価証券発行管理センター１７と景品買取所の一例の有価証券買取所８とは、前述したように、営業主体が同一であるために、これら３つのもののうち、任意の２つあるいはすべてを合体させて１つのものにしてもよい。また、遊技場において、払出された有価証券を用いて玉貸カードを購入できるようにしてもよい。
【０１１５】
（２）  図２において、前述したように有価証券発行管理センター１７と有価証券製造所２０と有価証券買取所８とのうち２つまたはすべてを合体させた場合には、その合体したもの同士の間では、当然のことながら資金の移動をする必要はない。また、有価証券買取所８からなる景品買取所において、有価証券からなる景品が持込まれた場合には、その景品の交換価値（額面）に対したとえば０．８を乗じた額の金銭を払出すようにしてもよい。その場合には、買取った有価証券の金額に対し２０％の利益が生ずることとなる。このようにした場合には、遊技者が商品購入のために使用せんとして商店に持込んできた有価証券を有価証券処理装置１４により処理することなく人為的に商品との交換を行ない、その商品購入に使用された後の有価証券を商店１３Ａが有価証券買取所８に持込んで現金に換金する等の不正行為を行なわんとした場合には、商店１３Ａに２０％の損失が生ずるために、そのような不正行為が未然に防止できる。また、この景品管理システムに加盟していない商店が前記有価証券による商品との交換を行ない、その有価証券を有価証券買取所８に持込んで換金するというような不正行為も未然に防止できる。すなわち、本景品管理システムにおいて、本管理システムに加盟している商店において商品の購入に使用された景品の使用分に関する景品発行管理センターへの請求額を、同じ使用分の景品が景品買取所で買取られた場合の買取額よりも大きな金額となるように設定すれば、前述した商店の不正行為を未然に防止できる。また、遊技者も同様に有価証券買取所８で換金すれば２０％の損失となるために、換金が減少する利点がある。
【０１１６】
（３）  図３において、有価証券発行装置１８または集中管理装置１９により、或る遊技場に納入する景品の数量データを当該遊技場に送信する納入景品数量データ送信手段が構成されている。また、遊技場側において、入荷した景品の数量をキー操作により手動でホール用管理装置７等に入力するようにしてもよい。
【０１１７】
（４）  図４，図５，図６において、有価証券払出装置６は、制御部４９からなる制御手段と、操作手順をメッセージ表示する操作手順表示手段（モニタ画面２４）と、入力された遊技結果価値情報を表示する遊技結果価値表示手段（計数玉数表示器２６，計数メダル数表示器２７，金額表示器２８）と、払出すべき景品の個数を表示する払出景品個数表示手段（払出枚数表示器３０，３１，３２）と、景品を貯留しておくストック部３７，３８，３９と、該ストック部にストックされている景品が欠乏したことを検出するストック景品欠乏検出手段と、該ストック景品欠乏検出手段の検出出力があった場合に、ストック景品が欠乏したことを表示するストック景品欠乏表示手段とを含む。
【０１１８】
有価証券処理装置９，１４は、制御手段と、操作手順をメッセージ表示するための操作手順表示手段と、景品受入部と、該景品受入部に受入れられた景品に付されている景品識別情報を読取る景品識別情報読取手段（有価証券読取装置７０〜７２）と、不適正な景品を仕分けて排出するための不適正景品仕分手段（仕分装置７７〜７９）と、該不適正景品仕分手段により仕分けられた後の適正な景品を貯留する適正景品貯留部と、該適正景品貯留部に貯留された適正景品が満杯になったことを検出する景品満杯検出手段と、該景品満杯検出手段の検出出力があった場合に、前記適正景品貯留部に貯留された適正景品が満杯になった旨を表示する景品満杯表示手段とを含む。
【０１１９】
金銭自動支払装置１０，１５は、制御手段と、金銭をストックしておく金銭ストック部と、支払うべき金銭の数を表示する金銭数表示手段とを含む。
【０１２０】
玉計数装置５，玉数計数装置５０，メダル計数装置５３から、遊技媒体の計数結果情報を特定可能な情報が記録された記録媒体を払出し、その払出された記録媒体の記録情報を有価証券払出装置６が読取って前記遊技媒体の計数結果の範囲内で景品を払出すようにしてもよい。また、パチンコ遊技機４が、有価価値を特定可能な情報が記録された記録媒体の記録情報により特定される有価価値を使用して直接玉を弾発発射できるようにし、遊技終了時に遊技結果価値が特定可能な情報が記録された記録媒体を排出するといういわゆる完全カード式のものであってもよい。なお、前記パチンコ遊技機４等の遊技機に使用される前記有価価値を特定可能な情報が記録された記録媒体と、前記遊技終了時に遊技結果価値が特定可能な情報が記録された記録媒体とは、同一の記録媒体であってもよく、それぞれ別の専用の記録媒体であってもよい。前記パチンコ遊技機等の遊技機を前述した完全カード式のものにした場合には、前記遊技結果価値を特定可能な情報が記録された記録媒体を直接有価証券払出装置６に投入して遊技結果価値の入力を行なう。
【０１２１】
（５）  図７において、景品の一例としての有価証券には、景品識別情報としての第１コード１４１，第２コード１４２が、従来から一般的な１次元のバーコードで構成されているが、スクランブル（暗号化）がかけやすい２次元バーコードで構成してもよい。また磁気ストライプを施して磁気記録方式にしてもよい。
【０１２２】
（６）  図８ないし図２１において、ＳＡ１，ＳＡ２，玉数計数装置５０，メダル計数装置５３により、前記遊技者に払出された遊技結果価値情報を入力可能な遊技結果価値情報入力手段が構成されている。ＳＡ４により、前記遊技結果価値情報入力手段で入力された遊技結果価値の範囲内で払出可能な景品の数量を算出する払出景品数量算出手段が構成されている。ＳＡ１５，ＳＡ１６，払出装置４３〜４５により、前記払出景品数量算出手段で算出された数量の景品を払出可能な景品払出手段が構成されている。この景品払出手段は、前記払出景品数量算出手段で算出された数量の景品を上限としてその範囲内で遊技者が選択入力した数量の景品を払出すものであってもよい。そして、遊技者が選択した数量の景品が前記払出数量算出手段で算出された数量よりも少ない場合には、その差だけの数量の景品に相当する有価価値を特定可能な情報が記録された記録媒体（レシートやカード等）を遊技者に排出し、その排出された記録媒体により特定される有価価値を後日使用して、景品の払出や遊技機による遊技が行なえるようにしてもよい。ＳＡ９により、景品払出手段により払出される景品に付されている当該景品を他の景品と識別するための景品識別情報を外部出力する景品識別情報出力手段が構成されている。
【０１２３】
ＳＡ６またはＳＣ３により、前記景品に付されている当該景品と他の景品とを識別するための景品識別情報を読取る景品識別情報読取手段が構成されている。ＳＡ６，ＳＡ７，ＳＡ８またはＳＣ３，ＳＣ４，ＳＣ５により、景品に付された景品識別情報が正しいデータで構成された適正な形の情報であるか否かを判定する景品識別情報適否判定手段が構成されている。ＳＡ９〜ＳＡ１１またはＳＣ８，ＳＣ１３，ＳＣ１４により、前記景品に付された景品識別情報と予め登録されている適正な景品識別情報とを照合するための動作を行なう景品識別情報照合動作手段が構成されている。ＳＣ７，ＳＣ１５により、前記景品識別情報照合動作手段の照合動作の結果適正と判断された景品の買取額を算出する景品買取額算出手段が構成されている。ＳＣ１７，金銭自動支払装置１０により、前記景品買取額算出手段により算出された買取額に応じた金銭を払出す金銭払出手段が構成されている。ＳＣ３〜ＳＣ８，ＳＣ１３，ＳＣ１４により、景品交換された景品を処理する際に該景品の真偽を判定する景品真偽判定手段が構成されている。なお、景品真偽判定手段は、有価証券の登録照合動作を行なわずに前述したコード上のセキュリティチェックのみで真偽判別を行なうようにしてもよい。穿孔装置８０〜８２とＳＣ２４とにより、前記景品真偽判定手段により正しい景品と判定された真正景品を廃棄処理する真正景品廃棄処理手段が構成されている。また、有価証券買取所８や商店１３Ａ，１３Ｂに有価証券発行管理センター１７から買取分、使用分の請求を行なうに際して、穿孔済の有価証券を有価証券発行管理センター１７に返却することを請求額支払の条件としてもよい。そうすれば、穿孔済証券が外部に出回らないため、ちらからないし偽造に用いられる心配もない。この真正景品廃棄処理手段は、穿孔を施す代わりに、有価証券の裁断（切断）や焼却等を行なうものでもよく、真正景品を再使用できない状態にするものであればなんでもよい。ＳＣ８により、前記景品の買上げに関する情報を管理用の情報として出力する景品情報出力手段が構成されている。この景品買上情報出力手段は、景品買取額情報（真正景品の交換価値を特定可能な情報等）に代えてまたはそれに加えて、景品の買取数量情報や景品を買取った旨を表わす情報（１つ買上げる毎に１パルスを出力する等）を買上げ後に出力してもよく、あるいは買上げ前に出力して真正景品でないと判断された場合には取消データを出力してもよい。さらには、前述した背番号管理用に景品に付された情報（コードデータ）を、買上げ前に出力したり、あるいは買上げ後にあらためて集計用情報として出力してもよい。また、有価証券処理装置９に買取所用管理装置１１の管理機能を内蔵させて内部で集計してもよく、その場合は、買取所用管理装置１１内の景品買上情報出力手段から前記内蔵された管理機能部分に買上げに関する情報が出力される。その場合、遊技場で払出した景品の払出しに関する情報を前記管理機能部分に入力できるようにすることにより、払出しと買上げの比較ができ、不正景品の買上げを極力防止できる。
【０１２４】
なお、景品識別情報照合動作手段による景品識別情報の照合動作は、有価証券処理装置９が読取った第１証券ＮＯ．情報を集中管理装置１９にまで送信し、その第１証券ＮＯ．に対応する証券情報を集中管理装置１９から有価証券処理装置９にまで返信してもらい、有価証券処理装置９において、その返信されてきた証券情報と読取った証券情報との照合動作を行なうようにしてもよい。さらには、有価証券処理装置９が読取った証券情報を集中管理装置１９にまで送信し、集中管理装置１９においてその送信されてきた証券情報と予め登録されている証券情報との照合動作を行ない、その照合結果判断を有価証券処理装置９にまで返信してもらうようにしてもよい。
【０１２５】
前記ＳＡ５〜ＳＡ１５の処理に伴う景品識別情報適否判定手段の判定動作や景品識別情報照合動作手段の照合動作を、前記遊技結果価値情報が入力される以前の段階から所定額分前もって行なうようにすれば、有価証券としての景品を迅速に払出すことができる。その所定額分前もって適否判定動作や照合動作が行なわれた景品をストックしておく処理済景品ストック部を有価証券払出装置６からなる景品払出装置に設けておいてもよい。
【０１２６】
有価証券発行装置１８から発行される有価証券に付与される第１コードのスクランブルやＳＡ１３による第２コードのスクランブルは、各種の暗号化手法を用いてセキュリティコードや証券情報等を暗号化するものでもよい。たとえば、公開鍵暗号方式を利用して暗号化してもよい。公開鍵暗号方式とは、１対の暗号化鍵と複合化鍵が異なり、暗号化鍵は公開し、複合化鍵のみを秘密にしておく暗号である。そして、前記有価証券発行装置１８が設置されている有価証券発行管理センター１７が保有する秘密の複合化鍵により、第１証券情報を複合化し、さらにその有価証券を納入せんとする納入先である遊技場に割振られている公開された暗号化鍵により前記複合化された後のデータを暗号化し、その暗号化されたデータを第１コードとして有価証券に書込付与する。そして、前記ＳＡ７では、遊技場が保有する秘密の複合化鍵により第１コードを逆スクランブル（複合化）し、さらに有価証券発行管理センター１７に割振られている公開された暗号化鍵により、前記複合化された後のデータを暗号化して元の第１証券情報に戻す。
【０１２７】
有価証券払出装置６から有価証券を払出す場合も同様に、前記ＳＡ１３により、第２証券情報を当該遊技場に割振られている秘密の複合化鍵により複合化し、さらに払出した有価証券を買取る有価証券買取所８や有価証券を商品の購入に使用する商店１３Ａ，１３Ｂに割振られているそれら共通の公開されている暗号化鍵により、前記複合化されたデータを暗号化し、その暗号化されたデータを第２コードとして景品である有価証券に書込付与して払出す。
【０１２８】
なお、暗号化手法としては、公開鍵暗号方式に限らず、たとえば、前記暗号化鍵と複合化鍵とが両方ともに秘密の鍵であるものであってもよい。前記有価証券発行装置１８やＳＡ１３により、所定の変換用データ（鍵）に従って所定のアルゴリズムにより景品識別情報を変換する景品識別情報変換手段が構成されている。前記ＳＡ７やＳＣ４により、前記景品識別情報変換手段により変換された変換データを、所定の逆変換用データ（鍵）により逆変換して元のデータに戻すデータ逆変換手段が構成されている。また、所定の乱数発生手段から乱数を発生させ、第１証券情報や第２証券情報ばかりでなく、その乱数発生手段から発生した乱数をも含めて、前記第１コード，第２コードに含まれているセキュリティコードを作成するようにしてもよい。
【０１２９】
前記ＳＢ２により、遊技場において正式に景品交換された旨を表わす景品交換済情報の発行を要求する景品交換済情報発行要求手段が構成されている。前記Ｓ９〜Ｓ１４により、前記景品交換済情報発行要求手段により発行要求があった場合に、景品交換済情報を発行する景品交換済情報発行手段が構成されている。ＳＡ１４により、前記景品交換済情報発行手段が発行した景品交換済情報を払出すべき景品に付与する景品交換済情報付与手段が構成されている。なお、前記有価証券払出装置６から払出される有価証券に対し、前記景品交換済情報付与手段により前述した第２証券ＮＯ．情報を含む第２証券情報が書込付与される場合には、当該有価証券の第１証券ＮＯ．情報を、集中管理装置１９において登録抹消状態にしてもよい。その場合には、景品の背番号管理が、景品の払出前においては前記第１証券ＮＯ．情報に基づいて行なっていたものを払出後には前記第２証券ＮＯ．情報がそれに代わって行なうこととなる。また、前記景品交換済情報は、第２証券ＮＯ．情報に限らず、たとえば、遊技場に設置された有価証券払出装置６から正式に払出された旨を表わすデータであってもよく、払出時にこのデータを有価証券に付与するとともに登録状況を「登録中」から「払出中」に書換える等することにより当該有価証券の第１ＮＯ．に対応させて集中管理装置１９に登録しておくようにしてもよい。なお、景品交換済情報は必ずしも付与しなくてもよい。前記Ｓ２７〜Ｓ３２により、前記景品交換された後の景品を処理（買取りまたは商品購入に使用）するにおいて、前記景品交換済情報に基づいて、前記処理対象となる景品が遊技場において適正に景品交換されたものであるか否かを判別する景品交換適正判別手段が構成されている。前記ＳＣ１２に示すように、前記有価証券処理装置９からなる景品買取手段は、前記景品識別情報適否判定手段により景品識別情報が適正である旨の判定結果を受けて、前記景品識別情報照合動作手段に基づいた照合結果を待たずに前記景品買取額を算出し、前記金銭払出手段に払出準備を行なわせる機能を有する。その結果、景品の投入時から金銭の払出までの時間を極力短縮することができる。
【０１３０】
景品の納入先を特定するための納入先コードを含む第１証券情報を発行せんとする有価証券に付与する有価証券発行装置１８により、前記遊技場に納入される前の景品に対し、景品の納入先を特定するための景品納入先識別情報を付与する景品納入先識別情報付与手段が構成されている。
【０１３１】
Ｓ４〜Ｓ８により、前記景品と他の景品とを識別するための景品識別情報（第１景品情報）を登録する景品識別情報登録手段が構成されている。前記Ｓ２４，Ｓ２５により、景品に付されている前記景品識別情報が前記景品識別情報登録手段に登録されている景品識別情報と一致するか否かを判別する一致判別手段が構成されている。Ｓ３０〜Ｓ３２により、前記一致判別手段の判別結果を出力する判別結果出力手段が構成されている。前記Ｓ３８により、前記景品処理装置により処理された景品に対応する前記景品識別情報を、前記景品識別情報登録手段から登録抹消にする景品識別情報抹消手段が構成されている。図１９に示したように、集中管理装置１９は、景品の入出庫に関する情報を分類記憶する入出庫情報分類記憶手段を含んでいる。Ｓ８により、景品の納入に伴って入出庫情報分類記憶手段に記憶されている景品の納入情報を更新する景品納入情報更新手段が構成されている。前記Ｓ２２により、景品の出庫に伴って入出庫情報分類記憶手段に記憶されている景品の出庫情報を更新する景品出庫情報更新手段が構成されている。
【０１３２】
前記Ｓ４，Ｓ６，Ｓ１８，Ｓ２０により、複数の景品にそれぞれ異なった番号からなる景品番号データを登録する景品番号データ登録手段が構成されている。前記Ｓ５，Ｓ１９により、前記景品番号データ登録手段により登録されている景品番号毎に、それぞれの景品番号に対応する景品を管理する管理情報を記憶する管理情報分類記憶手段が構成されている。前記景品番号データ登録手段と前記管理情報分類記憶手段とにより、前記景品に付与されて当該景品を他の景品と識別するための景品識別情報を登録する景品識別情報登録手段が構成されている。
【０１３３】
前記Ｓ２３〜Ｓ３２，ＳＤ１〜ＳＤ８，ＳＤ１４により、前記景品に付与されている景品識別情報が前記景品識別情報登録手段により登録されているか否かを照合して判別する景品識別情報照合手段が構成されている。前記Ｓ３８，Ｓ４０〜Ｓ４６により、前記景品識別情報登録手段に登録されている景品識別情報のうち前記景品買取所で買取られた景品に付与されている景品識別情報に相当する景品識別情報を当該景品が買取られたことがわかる所定状態にする景品識別情報処理手段が構成されている。この景品識別情報処理手段は、本実施例では、Ｓ３８に従って図１８に示した「登録状況」の欄を「抹消」にした後、Ｓ４５，Ｓ４６に従って図１８の「登録状況」の欄を「未使用」にするものを示したが、それに代えて、景品が景品買取所で買取られて証券情報抹消要求信号の入力があった場合に、その買取られた景品に付与されている景品識別情報（第１証券ＮＯ．，第２証券ＮＯ．）の登録状況を「買取り」等にしてもよい。さらには、景品買取所で買取られた景品に付与されている景品識別情報を前記景品識別情報登録手段から消し去り実際に記憶を消去するようにしてもよい。すなわち、景品識別情報処理手段は、景品識別情報登録手段に登録されている景品識別情報のうち前記景品買取所で買取られた景品に付与されている景品識別情報に相当する景品識別情報をその景品が買取られたことがわかる状態にするものであればどのような方法であってもよい。
【０１３４】
前記景品識別情報登録手段は、前記景品番号データ登録手段のみから構成されたものであってもよい。その場合には、前記景品識別情報照合手段は、前記景品に付与されている景品番号が前記景品識別情報登録手段により登録されているか否かを照合判別するものとなる。前記Ｓ５に示したように、前記管理情報分類記憶手段に記憶される管理情報は、景品の買取時や商品との交換時の価値基準となる額面情報を含んでいる。またＳ１９に示すように、前記管理情報は発行店識別情報を含んでいる。前記Ｓ４，Ｓ６，Ｓ１８，Ｓ２０に示すように、前記景品識別情報登録手段は、景品が遊技場に納入される際に当該景品の景品識別情報を登録し、景品交換に伴って当該景品が遊技者に払出される際に払出された旨を特定できる情報を前記登録されている景品識別情報に対応させて記憶する機能を有する。
【０１３５】
前記Ｓ８により、前記景品発行場が前記遊技場に対し景品の納入に伴なって請求する金額を特定可能な情報を遊技場別に集計可能な遊技場別請求額特定情報集計手段が構成されている。この遊技場別請求額特定情報集計手段は、図１２では、遊技場別の景品納入数を集計するものを示したが、その代わりに、遊技場別の景品納入額を集計するものであってもよい。
【０１３６】
前記Ｓ４４により、前記景品発行場が前記景品買取所による景品の買取りに伴って当該景品買取所に支払う金額を特定可能な情報を景品買取所別に集計可能な買取所別支払額特定情報集計手段が構成されている。この買取所別支払額特定情報集計手段は、図１４では、景品買取所別の景品買取数を集計するものを示したが、その代わりに、景品買取所別の景品の買取額を集計するものであってもよい。また、前記Ｓ４４により、前記景品発行場が前記加盟店での景品を使用しての商品の交換に伴って当該加盟店に支払う金額を特定可能な情報を加盟店別に集計可能な加盟店別支払額特定情報集計手段が兼用構成されている。この加盟店別支払額特定情報集計手段は、図１４では、加盟店別の景品使用数を集計するものを示したが、その代わりに、加盟店別の景品の使用額を集計するものであってもよい。
【０１３７】
前記Ｓ２２により、遊技場別の景品を払出した払出状況を集計可能な遊技場別景品払出状況集計手段が構成されている。この遊技場別景品払出状況集計手段は、図１３では、遊技場別の景品の払出数を集計するものを示したが、その代わりに、遊技場別の景品の払出額を集計するものであってもよい。
【０１３８】
前記Ｓ４３により、景品買取所により景品の買取状況を当該景品を払出した遊技場別に集計可能な遊技場別景品買取状況集計手段が構成されている。この遊技場別景品買取状況集計手段は、図１４では、遊技場別の景品買取数を集計するものを示したが、それに代えて、遊技場別の景品買取額を集計するものであってもよい。またこのＳ４３により、加盟店での景品の使用状況を当該景品を払出した遊技場別に集計可能な遊技場別景品使用状況集計手段が兼用構成されている。この遊技場別景品使用状況集計手段は、図１４では、遊技場別の景品使用数を集計するものを示したが、それに代えて、遊技場別の景品使用額を集計するものであってもよい。図１９に示したように、集中管理装置１９は、遊技場別の景品の在庫状況を集計可能な機能を有する。すなわち、集中管理装置１９は、遊技場別景品在庫状況集計手段を含む。この遊技場別景品在庫状況集計手段は、図１９では、遊技場別の景品在庫数を集計するものを示したが、それに代えて、遊技場別の景品在庫額を集計するものであってもよい。また図１９に示すように、集中管理装置１９は、景品交換に伴って遊技場で払出された景品のうち、未だに景品買取所で買取られておらずかつ未だに加盟店において使用されていない未回収の景品に関する景品回収残状況を集計する機能を有する。すなわち、集中管理装置１９は、遊技場別の景品の回収残状況を集計可能な遊技場別景品回収残状況集計手段を含む。この遊技場別景品回収残状況集計手段は、図１９では、遊技場別の景品回収残数を集計するものを示したが、その代わりに、遊技場別の景品回収残額を集計するものであってもよい。
【０１３９】
以上の、遊技場別景品払出状況集計手段と遊技場別景品買取状況集計手段と遊技場別景品使用状況集計手段、あるいは、遊技場別景品回収残状況集計手段の働きにより、遊技場からの景品回収状況を監視できる。また、遊技場別景品在庫状況集計手段の働きにより、遊技場の景品在庫状況が監視できる。そして遊技場の景品在庫状況や景品回収状況を監視することにより、不正景品の買取りや使用に伴なう損害を極力防止できるとともに、所定の景品買取所以外での買取りに対する監視を行ないやすくなる。
【０１４０】
遊技場に設置された有価証券払出装置６にストックしている景品すなわち在庫景品数データを出力する機能を持たせ、その在庫景品数データ出力手段から出力されてきたデータに基づいて集中管理装置１９が、その出力されてきた在庫数と図１９に示した在庫数データとを比較し、両データがほぼ一致するか否かを判別する判別手段を設けてもよい。この両データが大きく隔たれば、遊技場が景品を正規の特殊景品買取所８や正規の商店１３Ａ，１３Ｂでない場所に横流ししたことや、遊技場が有価証券発行管理センター１７から正規に納入した正規の景品以外の不正景品を有価証券払出装置６から払出したことが推察される。また、在庫数データが万一マイナスデータとなれば異常判別するようにしてもよい。
【０１４１】
また、遊技者が所定の記録媒体に遊技結果価値を累積的にためておき、後日高額景品と交換したり再遊技に使用できるようにしてもよい。
【０１４２】
さらに、景品の前述した背番号管理をＶＡＮ業者が行ない、ＶＡＮ（付加価値通信網）により景品識別情報を送信して登録し、登録有無の照合およびその照合結果の返信をＶＡＮにより行なうようにしてもよい。
【０１４３】
有価証券払出装置６と集中管理装置１９との間での情報のやりとりを、ホール用管理装置７を介することなく直接送受信してもよい。また、有価証券処理装置９，１４と集中管理装置１９との間での情報のやりとりを、買取所用管理装置１１や商店用管理装置１６を介することなく直接送受信してもよい。さらに、或る遊技場で払出された景品を買取る景品買取所や当該遊技場で払出された景品を商品購入に使用可能な商店が、当該遊技場と提携されており、当該遊技場から払出された景品はそれらの買取所や商店以外には持込まれない場合には、当該遊技場で払出された景品に付されている景品識別情報（第１証券情報，第２証券情報）を、前記集中管理装置１９から前もって前記提携されている景品買取所や商店に送信しておき、それら景品買取所や商店で予め登録するようにしておいてもよい。そのようにした場合には、払出された景品が景品買取所に持込まれた場合や商店に持込まれた場合には、わざわざ集中管理装置１９とデータのやりとりをすることなく、前記景品識別情報照合動作手段による照合動作を迅速に行なうことができる。また、ホール用管理装置７と買取所用管理装置１１あるいは商店用管理装置１６との間で直接データのやりとりを行ない、有価証券払出装置６により払出された景品の景品識別情報（第１証券情報，第２証券情報）を直接買取所用管理装置１１や商店用管理装置１６に送信して予め登録しておくようにしてもよい。
【０１４４】
さらに、前記有価証券発行管理センター１７の有価証券発行装置１８から有価証券が発行される際には、納入先識別情報，センター発行日情報等のデータのみを発行せんとする景品に付与し、遊技場における有価証券払出装置６から景品を払出す際に、前記第１証券ＮＯ．情報をその景品に付与するとともにその第１証券ＮＯ．情報を登録するようにしてもよい。
【０１４５】
前述したように、有価証券に換金や使用が許される有効期限を設けたために、証券情報を登録している集中管理装置１９の登録データが膨大なものになってしまう不都合を防止でき、集中管理装置１９の負担が大きくなり過ぎることがない。なお、有価証券の有効期限は必ずしも設けなくてもよい。
【０１４６】
前述した有価証券の納入額，買取額，使用額の集計は、額面別に集計してもよいし、額面別に分けることなく集計してもよい。なお、有価証券の額面は１種類でもよい。
【０１４７】
また、有価証券管理センター１７の集中管理装置１９による管理対象である、遊技場，有価証券買取所，加盟店が、１遊技場，１買取所，１加盟店のみであっても本発明の対象となる。つまり、集中管理装置１９は、管理対象である遊技場等が複数存在する場合にはその複数の管理対象を管理する機能を有するものであれば事足りる。
【０１４８】
さらに、換金や商品との交換に使用される景品は、たとえばゴールドチップやアクセサリー等のように有価証券以外のものでもよい。また、景品を廃棄することなく再利用するようにしてもよい。
【０１４９】
【発明の効果】
請求項１に記載の本発明によれば、景品番号照合手段の働きにより、特殊景品に付与されている第１景品番号が管理対象でありその発行状況が発行済か否か、当該第１景品番号に対応付けて第２景品番号が記憶されておりその発行状況が発行済か否か、および照合要求に含まれる第１景品番号および第２景品番号が対応付けて記憶されている第１景品番号および第２景品番号と一致するか否かが照合され、第１景品番号が管理対象でありその発行状況が発行済であるが、当該第１景品番号に対応付けて第２景品番号が記憶されていないかあるいはその発行状況が発行済でないと判定されたことを条件として、特殊景品が盗難されたものである旨が報知されるために、遊技者に正規に払出される前の段階で盗まれた特殊景品が不正に景品買取所で買取られるという不都合を極力防止することができる。
【０１５０】
請求項２に記載の本発明によれば、請求項１に記載の発明の効果に加えて、景品番号照合手段により第１景品番号が管理対象でないかあるいはその発行状況が発行済でないと判定されたことを条件として、特殊景品が偽造されたものである旨が報知されるために、偽造された特殊景品が不正に景品買取所で買取られるという不都合を極力防止することができる。
【図面の簡単な説明】
【図１】景品管理システムの全体概略システム図である。
【図２】景品管理システムが運営された場合の資金の移動状態を説明するための資金移動状態説明図である。
【図３】景品管理システムが運営された場合の情報の動きを説明するための説明図である。
【図４】有価証券払出装置の構成を示す構成図である。
【図５】有価証券処理装置と金銭自動支払装置との構成を示す構成図である。
【図６】有価証券処理装置と金銭自動支払装置との構成を示す構成図である。
【図７】景品の一例の有価証券を示す正面図である。
【図８】有価証券払出装置における有価証券払出動作を示すフローチャートである。
【図９】ホール用管理装置における証券情報照合動作を示すフローチャートである。
【図１０】有価証券処理装置における有価証券買取動作を示すフローチャートである。
【図１１】買取所用管理装置の動作を示し、（Ａ）は証券情報照合動作を示すフローチャートであり、（Ｂ）は証券情報抹消動作を示すフローチャートである。
【図１２】集中管理装置の動作を示すフローチャートであり、（Ａ）は第１証券ＮＯ．発行動作を示すフローチャートであり、（Ｂ）は第１証券情報登録動作を示すフローチャートであり、（Ｃ）は第２証券ＮＯ．発行動作を示すフローチャートであり、（Ｄ）は第２証券ＮＯ．発行取消動作を示すフローチャートである。
【図１３】集中管理装置の動作を示し、（Ａ）は第２証券情報登録動作を示すフローチャートであり、（Ｂ）は証券情報返信動作を示すフローチャートである。
【図１４】集中管理装置の動作を示し、（Ａ）は証券情報抹消動作を示すフローチャートであり、（Ｂ）は抹消データ消去動作を示すフローチャートであり、（Ｃ）は期限切データ消去動作を示すフローチャートである。
【図１５】ホール用管理装置に記憶されている有価証券入出庫状況データを示す図である。
【図１６】買取所用管理装置に記憶されている有価証券買取状況データを示す図である。
【図１７】商店管理装置に記憶されている記憶データを示し、（Ａ）は有価証券使用状況データを示す図であり、（Ｂ）は商品売上状況データを示す図である。
【図１８】集中管理装置に記憶されている有価証券管理データを示す図である。
【図１９】集中管理装置に記憶されているＡホール有価証券入出庫管理データを示す図である。
【図２０】集中管理装置に記憶されているＣ買取所有価証券買取データを示す図である。
【図２１】集中管理装置に記憶されているＤ商店有価証券使用状況データを示す図である。
【符号の説明】
１７は有価証券発行管理センター、１９は集中管理装置、１８は景品発行装置の一例の有価証券発行装置、８は有価証券買取所、９は景品処理装置の一例の有価証券処理装置、１１は買取所用管理装置、１Ａ，１Ｂは遊技場、６は景品払出装置の一例の有価証券払出装置、７はホール用管理装置、１４は景品処理装置の一例の有価証券処理装置、１６は商店用管理装置、３７，３８，３９は有価証券ストック部、５０は玉数計数装置、５３はメダル計数装置、４３，４４，４５は払出装置、８３，８４，８５は有価証券ストック部、８０，８１，８２は穿孔装置、７０，７１，７２は有価証券読取装置、１０は金銭自動支払装置、２１Ａ〜２１Ｄは景品の一例の有価証券である。
【図１】
0003732863.tif 000002
【図２】
0003732863.tif 000003
【図３】
0003732863.tif 000004
【図４】
0003732863.tif 000005
【図５】
0003732863.tif 000006
【図６】
0003732863.tif 000007
【図７】
0003732863.tif 000008
【図８】
0003732863.tif 000009
【図９】
0003732863.tif 000010
【図１０】
0003732863.tif 000011
【図１１】
0003732863.tif 000012
【図１２】
0003732863.tif 000013
【図１３】
0003732863.tif 000014
【図１４】
0003732863.tif 000015
【図１５】
0003732863.tif 000016
【図１６】
0003732863.tif 000017
【図１７】
0003732863.tif 000018
【図１８】
0003732863.tif 000019
【図１９】
0003732863.tif 000020
【図２０】
0003732863.tif 000021
【図２１】
0003732863.tif 000022